(57)【要約】  ＵＥがＲＲＣ接続をレジュームしようとしたときにＵＥがＲＲＣ＿ＩＮＡＣＴＩＶＥに入り、その応答としてリリースまたはサスペンドメッセージを受信したときに、受信したパラメータを処理するための新しいメカニズムが導入される。ある実施形態では、方法は、ｍｏｂｉｌｉｔｙＣｏｎｔｒｏｌＩｎｆｏ（Ｔ３２０に相当）に関連付けられたタイマが実行されている場合には停止することと、（従来のＲＲＣレジュームまたはＲＲＣセットアップと同様に）ＲＲＣリリースまたはＲＲＣサスペンドを受信するとｍｏｂｉｌｉｔｙＣｏｎｔｒｏｌＩｎｆｏを使用してパラメータを破棄することと、を含む。別の実施形態では、方法は、（従来のＲＲＣレジュームまたはＲＲＣセットアップと同様に）ＲＲＣリリースまたはＲＲＣサスペンドを受信するとリリースまたはサスペンドメッセージで受信した情報を破棄することを含む。ＵＥがＲＲＣ接続をレジュームしようとしたときにＵＥがＲＲＣ＿ＩＮＡＣＴＩＶＥに入り、その応答としてリリースまたはサスペンドメッセージを受信したときに、受信したパラメータを処理するための新しいメカニズムが導入される。これは、いくつかの新しいＮＲシグナリングシナリオで、ＵＥの動作とネットワークが既知または期待している動作とを調整する。【選択図】図５
2021520667.tif 000002
【特許請求の範囲】
【請求項１】
無線通信ネットワークで動作する無線デバイス（１０）によって実行される無線リソース制御（ＲＲＣ）状態を管理する方法（１００）であって、該方法（１００）は、
ＲＲＣ＿ＩＮＡＣＴＩＶＥ状態にありかつアイドルまたはインアクティブモビリティに関連する動作を実行している間に、ＲＲＣ＿ＣＯＮＮＥＣＴＥＤ状態に入ることを要求するＲＲＣメッセージを前記ネットワークに送信すること（１０２）と、
ＲＲＣ＿ＩＤＬＥ状態に入るかまたはＲＲＣ＿ＩＮＡＣＴＩＶＥ状態のまま残るよう前記無線デバイス（１０）に指示するＲＲＣメッセージを前記ネットワークから受信すること（１０４）と、
前記受信されたＲＲＣメッセージに応答して、
保存されたアイドルまたはインアクティブモビリティ関連の１つまたは複数の専用のパラメータを破棄すること（１０６）と、
前記アイドルまたはインアクティブモビリティ関連の専用のパラメータに関連付けられた動作を中止すること（１０８）と、
により特徴付けられる方法（１００）。
【請求項２】
アイドルまたはインアクティブモビリティに関連する動作を実行することは、セル再選択の優先度パラメータの有効タイマが実行されている間に、専用の優先度に従ってセル再選択を実行することを含む
請求項１に記載の方法（１００）。
【請求項３】
アイドルまたはインアクティブモビリティ関連のパラメータはタイマによって制御されており、該タイマは、ＲＲＣ＿ＣＯＮＮＥＣＴＥＤ状態に入ることを要求するＲＲＣメッセージを前記ネットワークに前記送信すること（１０２）の時点で実行中であり、
ＲＲＣ＿ＩＤＬＥ状態に入るかまたはＲＲＣ＿ＩＮＡＣＴＩＶＥ状態のまま残るよう前記無線デバイス（１０）に指示するＲＲＣメッセージを前記ネットワークから受信することに応答して、前記タイマを停止し前記タイマに関連付けられた動作を中止すること
によりさらに特徴付けられる請求項１または２に記載の方法（１００）。
【請求項４】
ＲＲＣ＿ＩＤＬＥ状態に入るよう前記無線デバイス（１０）に指示する前記ネットワークから受信されたＲＲＣメッセージは、ＲＲＣリリースメッセージである
請求項１乃至３の何れか１項に記載の方法（１００）。
【請求項５】
ＲＲＣ＿ＩＮＡＣＴＩＶＥ状態のまま残るよう前記無線デバイス（１０）に指示する前記ネットワークから受信されたＲＲＣメッセージは、ＲＲＣサスペンドメッセージである
請求項１乃至４の何れか１項に記載の方法（１００）。
【請求項６】
ＲＲＣ＿ＣＯＮＮＥＣＴＥＤ状態に入ることを要求する前記ネットワークに送信されたＲＲＣメッセージは、ＲＲＣレジューム要求メッセージである
請求項１乃至５の何れか１項に記載の方法（１００）。
【請求項７】
アイドルまたはインアクティブモビリティ関連のパラメータは、セル再選択の優先度情報を含む
請求項１乃至６の何れか１項に記載の方法（１００）。
【請求項８】
無線通信ネットワークで動作している間に、無線リソース制御（ＲＲＣ）状態を管理するよう動作する無線デバイス（１０）であって、
通信回路（１８）と、
前記通信回路（１８）に動作可能に接続された処理回路（１４）であって、
ＲＲＣ＿ＩＮＡＣＴＩＶＥ状態にありかつアイドルまたはインアクティブモビリティに関連する動作を実行している間に、ＲＲＣ＿ＣＯＮＮＥＣＴＥＤ状態に入ることを要求するＲＲＣメッセージを前記ネットワークに送信（１０２）し、
ＲＲＣ＿ＩＤＬＥ状態に入るかまたはＲＲＣ＿ＩＮＡＣＴＩＶＥ状態のまま残るよう前記無線デバイス（１０）に指示するＲＲＣメッセージを前記ネットワークから受信（１０４）し、
前記受信されたＲＲＣメッセージに応答して、
保存されたアイドルまたはインアクティブモビリティ関連の１つまたは複数の専用のパラメータを破棄（１０６）し、
前記アイドルまたはインアクティブモビリティ関連の専用のパラメータに関連付けられた動作を中止（１０８）する、
ように適合した前記処理回路（１４）と、
により特徴付けられる無線デバイス（１０）。
【請求項９】
前記処理回路は、セル再選択の優先度パラメータの有効タイマが実行されている間に、専用の優先度に従ってセル再選択を実行することにより、アイドルまたはインアクティブモビリティに関連する動作を実行するように適合している
請求項８に記載の無線デバイス（１０）。
【請求項１０】
アイドルまたはインアクティブモビリティ関連のパラメータはタイマによって制御されており、該タイマは、ＲＲＣ＿ＣＯＮＮＥＣＴＥＤ状態に入ることを要求するＲＲＣメッセージを前記ネットワークに前記送信すること（１０２）の時点で実行中であり、
前記処理回路は、ＲＲＣ＿ＩＤＬＥ状態に入るかまたはＲＲＣ＿ＩＮＡＣＴＩＶＥ状態のまま残るよう前記無線デバイス（１０）に指示するＲＲＣメッセージを前記ネットワークから受信することに応答して、前記タイマを停止し前記タイマに関連付けられた動作を中止する、ようにさらに適合している
請求項８または９に記載の無線デバイス（１０）。
【請求項１１】
ＲＲＣ＿ＩＤＬＥ状態に入るよう前記無線デバイス（１０）に指示する前記ネットワークから受信されたＲＲＣメッセージは、ＲＲＣリリースメッセージである
請求項８乃至１０の何れか１項に記載の無線デバイス（１０）。
【請求項１２】
ＲＲＣ＿ＩＮＡＣＴＩＶＥ状態のまま残るよう前記無線デバイス（１０）に指示する前記ネットワークから受信されたＲＲＣメッセージは、ＲＲＣサスペンドメッセージである
請求項８乃至１０の何れか１項に記載の無線デバイス（１０）。
【請求項１３】
ＲＲＣ＿ＣＯＮＮＥＣＴＥＤ状態に入ることを要求する前記ネットワークに送信されたＲＲＣメッセージは、ＲＲＣレジューム要求メッセージである
請求項８乃至１２の何れか１項に記載の無線デバイス（１０）。
【請求項１４】
アイドルまたはインアクティブモビリティ関連のパラメータは、セル再選択の優先度情報を含む
請求項８乃至１０の何れか１項に記載の無線デバイス（１０）。
【請求項１５】
無線リソース制御（ＲＲＣ）プロトコルを実装している無線通信ネットワークで動作する基地局（５０）によって実行される、無線デバイス（１０）を管理する方法（２００）であって、該方法（２００）は、
ＲＲＣ＿ＩＤＬＥ状態またはＲＲＣ＿ＩＮＡＣＴＩＶＥ状態にある無線デバイス（１０）から、ＲＲＣ＿ＣＯＮＮＥＣＴＥＤ状態に入ることを要求するＲＲＣメッセージを受信すること（２０２）と、
前記要求に応答して、ＲＲＣ＿ＩＤＬＥ状態に入るかまたはＲＲＣ＿ＩＮＡＣＴＩＶＥ状態のまま残るように前記無線デバイス（１０）に指示するＲＲＣメッセージを前記無線デバイス（１０）に送信すること（２０４）と、
により特徴付けられ、
前記基地局（５０）は、前記無線デバイス（１０）によって受信されたＲＲＣメッセージに応答して前記無線デバイスが保存された１つまたは複数のアイドルまたはインアクティブモビリティ関連のパラメータを破棄することを想定して、前記無線デバイス（１０）を管理し、
前記基地局（５０）は、前記無線デバイス（１０）によって受信されたＲＲＣメッセージに応答して前記無線デバイスがアイドルまたはインアクティブモビリティ関連のパラメータに関連付けられた動作を中止することを想定して、前記無線デバイス（１０）を管理する
方法（２００）。
【請求項１６】
前記無線デバイス（１０）によって保存されたアイドルまたはインアクティブモビリティ関連のパラメータはタイマによって制御されており、該タイマは、ＲＲＣ＿ＣＯＮＮＥＣＴＥＤ状態に入ることを要求するＲＲＣメッセージを前記無線デバイスが前記ネットワークに送信（１０２）した時点で実行中であり、
前記無線デバイス（１０）によって受信されたＲＲＣメッセージに応答して前記無線デバイスが前記タイマを停止し前記タイマに関連付けられた動作を中止することを想定して、前記無線デバイス（１０）を管理すること
によりさらに特徴付けられる
請求項１５に記載の方法（２００）。
【請求項１７】
前記無線デバイス（１０）がＲＲＣ＿ＩＤＬＥ状態に入るように指示する前記基地局（５０）により送信されたＲＲＣメッセージは、ＲＲＣリリースメッセージである
請求項１５または１６に記載の方法（２００）。
【請求項１８】
前記無線デバイス（１０）がＲＲＣ＿ＩＮＡＣＴＩＶＥ状態に入るように指示する前記基地局（５０）により送信されたＲＲＣメッセージは、ＲＲＣサスペンドメッセージである
請求項１５または１６に記載の方法（２００）。
【請求項１９】
ＲＲＣ＿ＣＯＮＮＥＣＴＥＤ状態に入ることを要求する前記無線デバイス（１０）により前記基地局に送信されたＲＲＣメッセージは、ＲＲＣレジューム要求メッセージである
請求項１５乃至１８の何れか１項に記載の方法（２００）。
【請求項２０】
アイドルまたはインアクティブモビリティ関連のパラメータは、セル再選択の優先度情報を含む
請求項１５乃至１９の何れか１項に記載の方法（２００）。
【請求項２１】
無線リソース制御（ＲＲＣ）プロトコルを実装している無線通信ネットワークで動作する基地局（５０）であって、
通信回路（５６）と、
前記通信回路（５６）に動作可能に接続された処理回路（５２）であって、
ＲＲＣ＿ＩＤＬＥ状態またはＲＲＣ＿ＩＮＡＣＴＩＶＥ状態にある無線デバイス（１０）から、ＲＲＣ＿ＣＯＮＮＥＣＴＥＤ状態に入ることを要求するＲＲＣメッセージを受信（２０２）し、
前記要求に応答して、ＲＲＣ＿ＩＤＬＥ状態に入るかまたはＲＲＣ＿ＩＮＡＣＴＩＶＥ状態のまま残るように前記無線デバイス（１０）に指示するＲＲＣメッセージを前記無線デバイス（１０）に送信（２０４）し、
前記無線デバイス（１０）によって受信されたＲＲＣメッセージに応答して前記無線デバイスが保存された１つまたは複数のアイドルまたはインアクティブモビリティ関連のパラメータを破棄することを想定して、前記無線デバイス（１０）を管理（２０６）し、
前記無線デバイス（１０）によって受信されたＲＲＣメッセージに応答して前記無線デバイスがアイドルまたはインアクティブモビリティ関連のパラメータに関連付けられた動作を中止することを想定して、前記無線デバイス（１０）を管理（２０８）する
ように適合した前記処理回路（５２）と、
により特徴付けられる基地局（５０）。
【請求項２２】
前記無線デバイスによって保存されたアイドルまたはインアクティブモビリティ関連のパラメータはタイマによって制御されており、該タイマは、ＲＲＣ＿ＣＯＮＮＥＣＴＥＤ状態に入ることを要求するＲＲＣメッセージを前記無線デバイスが前記ネットワークに送信した時点で実行中であり、
前記処理回路は、前記無線デバイスによって受信されたＲＲＣメッセージに応答して前記無線デバイスが前記タイマを停止し前記タイマに関連付けられた動作を中止することを想定して、前記無線デバイスを管理する、ようにさらに適合している
請求項２１に記載の基地局（５０）。
【請求項２３】
前記無線デバイス（１０）がＲＲＣ＿ＩＤＬＥ状態に入るように指示する前記基地局（５０）により送信されたＲＲＣメッセージは、ＲＲＣリリースメッセージである
請求項２１または２２に記載の基地局（５０）。
【請求項２４】
前記無線デバイス（１０）がＲＲＣ＿ＩＮＡＣＴＩＶＥ状態に入るように指示する前記基地局（５０）により送信されたＲＲＣメッセージは、ＲＲＣサスペンドメッセージである
請求項２１または２２に記載の基地局（５０）。
【請求項２５】
ＲＲＣ＿ＣＯＮＮＥＣＴＥＤ状態に入ることを要求する前記無線デバイス（１０）により前記基地局（５０）に送信されたＲＲＣメッセージは、ＲＲＣレジューム要求メッセージである
請求項２１乃至２４の何れか１項に記載の基地局（５０）。
【請求項２６】
アイドルまたはインアクティブモビリティ関連のパラメータは、セル再選択の優先度情報を含む
請求項２１乃至２５の何れか１項に記載の基地局（５０）。
【発明の詳細な説明】
【技術分野】
【０００１】
本出願は、「HANDLING OF PARAMETERS PROVIDED IN RELEASE / SUSPEND」と題する２０１８年４月３日に出願された米国仮出願シリアル番号６２／６５２２２６の利益を主張し、その開示は参照によりその全体が本明細書に組み込まれる。
【０００２】
本発明は、一般に無線通信ネットワークに関し、特に、ＲＲＣ＿ＩＮＡＣＴＩＶＥ状態の無線デバイスによるＲＲＣリリースメッセージまたはＲＲＣサスペンドメッセージ内のパラメータの取り扱いに関する。
【背景技術】
【０００３】
＜ＬＴＥとＮＲの無線リソース制御状態＞
ＲＲＣ（無線リソース制御）は、第３世代の移動体無線通信プロトコルであるユニバーサル移動通信システム（ＵＭＴＳ）や第４世代のロングタームエボリューション（ＬＴＥ）で使用されているエアインタフェースプロトコルである。第５世代プロトコルであるニューラジオ（ＮＲ）では、ＲＲＣの変更が提案されている。ＵＭＴＳのＲＲＣの仕様は技術仕様（ＴＳ）２５．３３１  Ｖ１５．１．０、ＬＴＥのＲＲＣの仕様はＴＳ３６．３３１  Ｖ１５．０．１である。
【０００４】
図１は、ＬＴＥのＲＲＣモードの状態図を示す。ＬＴＥでは、無線デバイス（またはユーザ装置（ＵＥ））に対して２つの一般的なＲＲＣモードが定義されており、ＲＲＣ＿ＩＤＬＥとＲＲＣ＿ＣＯＮＮＥＣＴＥＤである。ＲＲＣ＿ＣＯＮＮＥＣＴＥＤモードでは、ＵＥは、インアクティブタイマに基づいて、消費電力の低いＲＲＣ状態間を遷移する。ＬＴＥのＲＲＣ＿ＣＯＮＮＥＣＴＥＤモード状態は、ＣＥＬＬ−ＤＣＨ（専用チャネル）、ＣＥＬＬ＿ＦＡＣＨ（フォワードアクセスチャネル）、ＣＥＬＬ＿ＰＣＨ（セルページングチャネル）、およびＵＲＡ＿ＰＣＨ（ＵＴＲＡＮ登録エリア、またはＵＲＡ、ページングチャネル）である。本開示は、ＲＲＣ＿ＣＯＮＮＥＣＴＥＤ状態ではなく、ＲＲＣ＿ＣＯＮＮＥＣＴＥＤモードとＲＲＣ＿ＩＤＬＥモードとの間の遷移（および類似のＮＲのＲＲＣ遷移）に焦点を当てている。したがって、本明細書では、ＲＲＣモードとＲＲＣ状態という用語が互換的に使用されます。
【０００５】
ＬＴＥのＲＲＣ＿ＩＤＬＥ状態では、ＵＥはコアネットワーク（ＣＮ）または進化型パケットコア（ＥＰＣ）に知られており、ＩＰアドレスを持っているが、無線アクセスネットワーク（Ｅ−ＵＴＲＡＮ）とその基地局（進化型ノードＢまたはｅＮＢ）には知られておらず、追跡されていない。ＵＥは、ブロードキャスト／マルチキャストデータ（システム情報やＳＩなど）を受信したり、ページングチャネルを監視して着信を検出したり、近隣セル測定を行ったり、セル（再）選択を行ったりすることがでる。ＲＣＣ＿ＩＤＬＥのＵＥは、ネットワークによって不連続受信（ＤＲＸ）用に構成されている場合がある。
【０００６】
ＬＴＥのＲＲＣ＿ＣＯＮＮＥＣＴＥＤ状態では、ＵＥはＲＡＮ（Ｅ−ＵＴＲＡＮ／ｅＮＢ）およびコアネットワークによって知られており、ＵＥのモビリティはネットワークによって管理される。ＵＥは、ダウンリンクデータの制御チャネルを監視し、チャネル品質フィードバックを送信し、アップリンクリソースを要求することがある。ＲＲＣメッセージのＲＲＣリリースおよびＲＲＣコネクトは、ＵＥをＲＲＣ＿ＣＯＮＮＥＣＴＥＤ状態からＲＲＣ＿ＩＤＬＥ状態に遷移させる。
【０００７】
図２は、ＮＲのＲＲＣ状態の状態図を示す。ＮＲは新しいＲＲＣ状態を導入する。この状態では、ＵＥはＲＡＮに接続されているが、リソースを積極的に利用していない。ＲＲＣメッセージのＲＲＣサスペンドとＲＲＣレジュームは、ＵＥをＲＲＣ＿ＣＯＮＮＥＣＴＥＤ状態からＲＲＣ＿ＩＮＡＣＴＩＶＥ状態に遷移させる。このため、ＮＲのＲＲＣはＬＴＥには存在しないＲＲＣ状態遷移を導入しているため、一部のパラメータ、タイマ、および動作のＵＥによる処理は完全には規定されていない。さまざまなＵＥがこれらのパラメータ、タイマ、および動作をどのように処理するかが不確実なため、ネットワークの期待（または要求）から乖離したＵＥの動作が発生する可能性があり、ＵＥの動作が明示的に指定されている場合には必要ないリカバリシグナリングが必要になる可能性がある。
【０００８】
ＬＴＥでは、ＲＲＣ＿ＣＯＮＮＥＣＴＥＤのＵＥは、ネットワークから”ＲＲＣ接続リリース”メッセージを受信してＲＲＣ＿ＩＤＬＥに入る。このメッセージには、ｉｄｌｅＭｏｄｅＭｏｂｉｌｉｔｙＣｏｎｔｒｏｌＩｎｆｏと呼ばれるパラメータが含まれている場合がある。このフィールドは、３ＧＰＰ  ＴＳ３６．３０４  Ｖ１４．６．０で規定されているように、セル再選択に使用される専用のセル再選択優先度を提供する。ＲＲＣ接続リリースメッセージは、ＲＲＣ接続のリリースを命令するために使用される。このメッセージの内容は、以下に示すように、３ＧＰＰ仕様３６．３３１から導出することができる。
【０００９】
2021520667.tif 000003
【００１０】
2021520667.tif 000004
【００１１】
2021520667.tif 000005
【００１２】
ＬＴＥでは、これらのパラメータに関連付けられたＵＥの動作は、ＲＲＣ仕様３ＧＰＰ  ＴＳ３６．３３１  Ｖ１５．０．１、セクション５．３．８．３  ＵＥによるＲＲＣ接続リリースの受信で以下のように定義されている。
【００１３】
2021520667.tif 000006
【００１４】
技術仕様３６．３３１は、さらに、セクション５．３．８．４で、タイマＴ３２０の満了時のＵＥの動作を規定している。
【００１５】
2021520667.tif 000007
【００１６】
ＬＴＥでは、これらのパラメータは、サスペンドインジケータの有無にかかわらず、ＵＥがＲＲＣ＿ＩＤＬＥに入ったときにのみ意味を持つ。また、その状態から、ＵＥはＲＲＣ接続を確立または再開（レジューム）することによってのみ、ＲＲＣ＿ＣＯＮＮＥＣＴＥＤに入ることができる。したがって、ＲＲＣ＿ＣＯＮＮＥＣＴＥＤに入ると、これらのパラメータを破棄またはクリーンアップしたり、Ｔ３２０などの関連タイマを停止したりするために、いくつかの動作が実行される。これは、ＬＴＥ標準のＴＳ３６．３３１では、ＲＲＣ接続セットアップメッセージまたはＲＲＣ接続レジュームメッセージを受信したときに示される。
【００１７】
ＮＲでは、ＵＥがＲＲＣ＿ＩＤＬＥおよび／またはＲＲＣ＿ＩＮＡＣＴＩＶＥに入ったときに、ＲＲＣリリースおよび／またはＲＲＣサスペンドメッセージでパラメータを受信することがあると合意されている。ただし、ＬＴＥでは、ＲＲＣ＿ＩＤＬＥ（サスペンドインジケータ付き）がレジューム手続きを開始してＲＲＣ＿ＣＯＮＮＥＣＴＥＤに入る可能性があることに加えて、ＬＴＥのＲＲＣとは異なるＮＲのＲＲＣについては、以下の点について合意している。
【００１８】
図３は、ネットワークがＵＥからのレジューム要求に対して、直ちにＵＥにＲＲＣ＿ＩＮＡＣＴＩＶＥ状態への復帰を指示するサスペンドメッセージで応答する場合のＮＲのＲＲＣのシグナリングを示している。また、このメッセージは暗号化されている。ＬＴＥでは、接続を再開しようとするＵＥに対してサスペンドメッセージ（サスペンド表示付きリリース）を直接送信することはできない。
【００１９】
図４は、ネットワークがＵＥからのレジューム要求に対して、直ちにＵＥをＲＲＣ＿ＩＤＬＥ状態に命令するレジュームメッセージで応答する場合があるＮＲのＲＲＣにおけるシグナリングを示している。また、このメッセージは暗号化されている。ＬＴＥでは、接続を再開しようとするＵＥにリリースメッセージ（リリース）を直接送信することはできない。
【００２０】
上記の違いにより、ＲＲＣ＿ＩＮＡＣＴＩＶＥ状態に入ったＵＥに提供される可能性のあるパラメータ（Ｔ３２０タイマ、リダイレクト情報など）の処理では、以下のような問題が発生する。
【００２１】
ＵＥは、レジューム要求に応答してＮＲでより多くのメッセージ（ＲＲＣリジェクト、ＲＲＣリリース、ＲＲＣサスペンドなど）を受信する可能性があるため、ＬＴＥのように、レジュームメッセージやセットアップメッセージを受信したときにタイマを停止するだけでは十分ではない。
【００２２】
キャリアリダイレクション情報については、現在の状態と新しいＮＲ手順では、ＵＥがどのような動作をするかは不明である。ＬＴＥ仕様のＴＳ３６．３３１では、以下のように定義されている。
【００２３】
2021520667.tif 000008
【００２４】
ｒｅｄｉｒｅｃｔｅｄＣａｒｒｉｅｒＩｎｆｏは、キャリア周波数（ＦＤＤの場合はダウンリンク）を示し、３ＧＰＰ  ＴＳ３６．３０４  Ｖ１４．６．０で規定されているように、ＲＲＣ＿ＣＯＮＮＥＣＴＥＤからの離脱時のセル選択により、ＵＥをＥ−ＵＴＲＡまたはｉｎｔｅｒ−ＲＡＴキャリア周波数にリダイレクトするために使用される。
【００２５】
ＵＥがＲＲＣ＿ＩＮＡＣＴＩＶＥに入り、ｒｅｄｉｒｅｃｔｅｄＣａｒｒｉｅｒＩｎｆｏフィールドを受信し、接続を再開しようとした後、ｒｅｄｉｒｅｃｔｅｄＣａｒｒｉｅｒＩｎｆｏフィールドなしでＲＲＣサスペンドまたはＲＲＣリリースを受信した場合、既存のニードコード、すなわち３ＧＰＰ規格で定義されているＮｅｅｄ  ＯＮによると、ＵＥがまだ保存されている以前に提供された値を使用するべきか、またはそれを破棄すべきかは明らかではない。
【００２６】
2021520667.tif 000009
【００２７】
ｉｄｌｅＭｏｄｅＭｏｂｉｌｉｔｙＣｏｎｔｒｏｌＩｎｆｏフィールドについては、現在の状態および新しいＮＲ手順では、ＵＥがＲＲＣ＿ＩＮＡＣＴＩＶＥに入り、サスペンドメッセージにｉｄｌｅＭｏｄｅＭｏｂｉｌｉｔｙＣｏｎｔｒｏｌＩｎｆｏ（または同等のもの）が含まれている場合、ＵＥが再開しようとし、それに応答してサスペンドまたはリリースされた場合（例えば、ＲＡＮベースの通知エリア（ＲＮＡ）の更新の場合）、タイマＴ３２０は停止しないかもしれない。また、リリースまたはサスペンドメッセージで新しいタイマおよびパラメータが提供されたとしても、ＵＥが再開しようとしたときに（Ｔ３２０がまだ実行中の場合には）これらの値がまだＵＥに保存されている可能性があるので、ＵＥが新しい値を使用するか、古い値を使用するかは曖昧なままである。
【００２８】
ニードコードに関しては、そのフィールドは、それぞれの３ＧＰＰ規格ではＮｅｅｄ  ＯＰ表示を有しており、これは以下のことを意味する。
【００２９】
2021520667.tif 000010
【００３０】
見られるように、ＵＥがＲＲＣ＿ＩＤＬＥにいるときにＲＲＣ接続リリースメッセージを受信したときに発生することができないため、ＬＴＥでは何も指定されていない。
【００３１】
本文書の背景セクションは、本発明の実施形態を技術的および運用上の文脈に置き、当業者がその範囲と有用性を理解するのを支援するために提供されている。背景セクションに記載されたアプローチは追求され得るが、必ずしも以前に考案されたアプローチまたは追求されたアプローチではない。そのように明示的に特定されない限り、本明細書に記載されている記述は、単に背景セクションに含まれているだけでは、先行技術であるとは認められない。
【発明の概要】
【００３２】
以下では、当業者に基本的な理解を提供するために、本開示の簡略化された要約を示す。この要約は、本開示の広範な概要を示すものではなく、本発明の実施形態の鍵／重要な要素を特定することを意図したものではなく、また、本発明の範囲を明確にすることを意図したものでもない。本要約の唯一の目的は、後に提示されるより詳細な説明の前段として、簡略化された形態で本明細書に開示されたいくつかの概念を提示することである。
【００３３】
本明細書に記載され請求される１つ以上の実施形態によれば、ＵＥがＲＲＣ接続を再開しようとした際にＵＥがＲＲＣ＿ＩＮＡＣＴＩＶＥに入り、その応答としてリリースまたはサスペンドメッセージを受信した際に、受信したパラメータを処理するための新しいメカニズムが導入されている。
【００３４】
ある実施形態では、方法は、以下の場合に、ｍｏｂｉｌｉｔｙＣｏｎｔｒｏｌＩｎｆｏ（Ｔ３２０に相当）に関連付けられたタイマが実行されている場合には、そのタイマを停止することと、ｍｏｂｉｌｉｔｙＣｏｎｔｒｏｌＩｎｆｏを有するパラメータを破棄することと、を含む：
・ＲＲＣリリースの受信、
・ＲＲＣサスペンドの受信、
・ＲＲＣレジューム（従来）の受信、または
・ＲＲＣセットアップ（従来）の受信。
【００３５】
別の実施形態では、方法は、以下の場合に、リリースまたはサスペンドメッセージで受信した情報を破棄することを含む
・ＲＲＣリリースの受信、
・ＲＲＣサスペンドの受信、
・ＲＲＣレジューム（従来）の受信、または
・ＲＲＣセットアップ（従来）の受信。
【００３６】
ＵＥがＲＲＣ接続を再開しようとしたときに、ＵＥがＲＲＣ＿ＩＮＡＣＴＩＶＥに入ったときに受信したパラメータを処理するための新しいメカニズムが導入され、その応答として、リリースまたはサスペンドメッセージを受信する。
【００３７】
ある実施形態では、それは、以下の場合に、ｍｏｂｉｌｉｔｙＣｏｎｔｒｏｌＩｎｆｏに関連付けられたタイマ（Ｔ３２０に相当）が実行されている場合には、そのタイマを停止することと、ｍｏｂｉｌｉｔｙＣｏｎｔｒｏｌＩｎｆｏを有するパラメータを破棄することと、を含む。
・ＲＲＣリリースの受信、または
・ＲＲＣサスペンドの受信。
【００３８】
本発明の実施形態によれば、正確なＵＥの動作は、ネットワークによって知られることになる。また、ネットワークは、ＵＥを曖昧なく構成し、期待される動作を得る可能性を有する。Ｔ３２０に相当するタイマの特定のケースでは、ネットワークがその動作を望まないにもかかわらず、ＵＥがタイマを停止することにより、ＵＥがｍｏｂｉｌｉｔｙＣｏｎｔｒｏｌＩｎｆｏに関連付けられたプロシージャを実行し続けることが回避される。
【００３９】
ある実施形態は、無線通信ネットワークで動作する無線デバイスによって実行されるＲＲＣ状態を管理する方法に関する。ＲＲＣ＿ＩＮＡＣＴＩＶＥ状態にありかつアイドルまたはインアクティブモビリティに関連する動作を実行している間に、ＲＲＣ＿ＣＯＮＮＥＣＴＥＤ状態に入ることを要求するＲＲＣメッセージが前記ネットワークに送信される。ＲＲＣ＿ＩＤＬＥ状態に入るかまたはＲＲＣ＿ＩＮＡＣＴＩＶＥ状態のまま残るよう前記無線デバイスに指示するＲＲＣメッセージが前記ネットワークから受信される。前記受信されたＲＲＣメッセージに応答して、保存されたアイドルまたはインアクティブモビリティ関連の１つまたは複数の専用のパラメータが破棄される。また、前記受信されたＲＲＣメッセージに応答して、前記アイドルまたはインアクティブモビリティ関連の専用のパラメータに関連付けられた動作が中止される。
【００４０】
別の実施形態は、無線通信ネットワークで動作している間に、ＲＲＣ状態を管理するよう動作する無線デバイスに関する。無線デバイスは、通信回路と、前記通信回路に動作可能に接続された処理回路とを含む。処理回路は、ＲＲＣ＿ＩＮＡＣＴＩＶＥ状態にありかつアイドルまたはインアクティブモビリティに関連する動作を実行している間に、ＲＲＣ＿ＣＯＮＮＥＣＴＥＤ状態に入ることを要求するＲＲＣメッセージを前記ネットワークに送信し、ＲＲＣ＿ＩＤＬＥ状態に入るかまたはＲＲＣ＿ＩＮＡＣＴＩＶＥ状態のまま残るよう前記無線デバイスに指示するＲＲＣメッセージを前記ネットワークから受信し、前記受信されたＲＲＣメッセージに応答して、保存されたアイドルまたはインアクティブモビリティ関連の１つまたは複数の専用のパラメータを破棄し、また、前記受信されたＲＲＣメッセージに応答して、前記アイドルまたはインアクティブモビリティ関連の専用のパラメータに関連付けられた動作を中止する、ように適合している。
【００４１】
さらに別の実施形態は、ＲＲＣプロトコルを実装している無線通信ネットワークで動作する基地局によって実行される、無線デバイスを管理する方法に関する。ＲＲＣ＿ＩＤＬＥ状態またはＲＲＣ＿ＩＮＡＣＴＩＶＥ状態にある無線デバイスから、ＲＲＣ＿ＣＯＮＮＥＣＴＥＤ状態に入ることを要求するＲＲＣメッセージが受信される。前記要求に応答して、ＲＲＣ＿ＩＤＬＥ状態に入るかまたはＲＲＣ＿ＩＮＡＣＴＩＶＥ状態のまま残るように前記無線デバイスに指示するＲＲＣメッセージが前記無線デバイスに送信される。前記基地局は、前記無線デバイスによって受信されたＲＲＣメッセージに応答して前記無線デバイスが保存された１つまたは複数のアイドルまたはインアクティブモビリティ関連のパラメータを破棄することを想定して、前記無線デバイスを管理する。また、前記基地局は、前記無線デバイスによって受信されたＲＲＣメッセージに応答して前記無線デバイスがアイドルまたはインアクティブモビリティ関連のパラメータに関連付けられた動作を中止することを想定して、前記無線デバイスを管理する。
【００４２】
さらに別の実施形態は、ＲＲＣプロトコルを実装している無線通信ネットワークで動作する基地局に関する。基地局は、通信回路と、前記通信回路に動作可能に接続された処理回路とを含む。処理回路は、ＲＲＣ＿ＩＤＬＥ状態またはＲＲＣ＿ＩＮＡＣＴＩＶＥ状態にある無線デバイスから、ＲＲＣ＿ＣＯＮＮＥＣＴＥＤ状態に入ることを要求するＲＲＣメッセージを受信し、前記要求に応答して、ＲＲＣ＿ＩＤＬＥ状態に入るかまたはＲＲＣ＿ＩＮＡＣＴＩＶＥ状態のまま残るように前記無線デバイスに指示するＲＲＣメッセージを前記無線デバイスに送信し、前記無線デバイスによって受信されたＲＲＣメッセージに応答して前記無線デバイスが保存された１つまたは複数のアイドルまたはインアクティブモビリティ関連のパラメータを破棄することを想定して、前記無線デバイスを管理し、また、前記無線デバイスによって受信されたＲＲＣメッセージに応答して前記無線デバイスがアイドルまたはインアクティブモビリティ関連のパラメータに関連付けられた動作を中止することを想定して、前記無線デバイスを管理する。
【図面の簡単な説明】
【００４３】
以下、本発明を、本発明の実施形態が示されている添付図面を参照して、より詳細に説明する。しかしながら、本発明は、本明細書に記載された実施形態に限定されるものと解釈されるべきではない。むしろ、これらの実施形態は、本開示が完全かつ完全なものとなり、当業者に本発明の範囲を十分に伝えるように提供される。同様の番号は、全体を通して同様の要素を指す。
【００４４】
【図１】ＬＴＥのＲＲＣ状態図である。
【図２】ＮＲのＲＲＣ状態図である。
【図３】ＵＥがＲＲＣ＿ＩＮＡＣＴＩＶＥ状態からの再開を要求し、ＲＲＣ＿ＩＮＡＣＴＩＶＥ状態に戻ってサスペンドされた場合のシグナリング図である。
【図４】ＵＥがＲＲＣ＿ＩＮＡＣＴＩＶＥ状態からの再開を要求し、ＲＲＣ＿ＩＤＬＥにリリースされた場合のシグナリング図である。
【図５】無線通信ネットワークで動作する無線デバイスによって実行される、ＲＲＣ状態を管理する方法のフロー図である。
【図６】ＲＣＣプロトコルを実装した無線通信ネットワークで動作する基地局によって実行される無線デバイスの管理方法のフロー図である。
【図７】無線デバイスのブロック図である。
【図８】機能ユニットを示す無線装置のブロック図である。
【図９】基地局のブロック図である。
【図１０】機能ユニットを示す基地局のブロック図である。
【図ＱＱ１】ネットワークおよびいくつかのネットワーク構成要素のブロック図である。
【図ＱＱ２】ユーザ装置のブロック図である。
【図ＱＱ３】仮想化環境を示す概略ブロック図である。
【図ＱＱ４】中間ネットワークを介してホストコンピュータに接続された通信ネットワークを説明する図である。
【図ＱＱ５】ホストコンピュータが基地局を介してユーザ装置と部分的に無線接続で通信している様子を示す図である。
【図ＱＱ６】通信システムにおいてＵＥと通信するホストコンピュータを示すフローチャートである。
【図ＱＱ７】通信システムにおいてＵＥと通信するホストコンピュータを示すフローチャートである。
【図ＱＱ８】通信システムにおいてホストコンピュータと通信するＵＥを示すフローチャートである。
【図ＱＱ９】通信システムにおいて基地局とホストコンピュータとの間の通信を示すフローチャートである。
【発明を実施するための形態】
【００４５】
簡単かつ例示的な目的のために、本発明は、主にその例示的な実施形態を参照して説明される。以下の説明では、本発明の完全な理解を提供するために、多数の具体的な詳細が記載されている。しかしながら、本発明がこれらの特定の詳細に限定されることなく実施され得ることは、当業者には容易に明らかであろう。本明細書では、本発明を不必要に不明瞭にしないように、周知の方法および構造が詳細に記載されていない。少なくともいくつかの実施形態は、例示目的のために、特定の文脈および／または無線ネットワークタイプにおいて適用可能であるとして本明細書に記載されているが、実施形態は、明示的に記載されていない他の文脈および／または無線ネットワークタイプにおいても同様に適用可能である。
【００４６】
ある実施形態によれば、方法は、以下を含む：
・ＵＥは、タイマによって制御される１つまたは複数のアイドル／インアクティブモビリティ関連のパラメータをＲＲＣリリースまたはＲＲＣサスペンドメッセージ（ＲＲＣ＿ＩＮＡＣＴＩＶＥに遷移）で受信し、ＵＥはタイマを開始し、タイマが実行中であれば、ＲＲＣ接続を再開しようとしたときに、
・ＲＲＣリリースメッセージを受信すると、ＵＥはタイマを停止し、関連する動作の実行を停止する。
・ＲＲＣサスペンドメッセージを受信すると、ＵＥはタイマを停止し、関連する動作の実行を停止する。
・ＵＥは、１つまたは複数のアイドル／インアクティブモビリティ関連のパラメータをＲＲＣリリースまたはＲＲＣサスペンドメッセージ（ＲＲＣ＿ＩＮＡＣＴＩＶＥに遷移）で受信し、ＲＲＣ接続を再開しようとしたときに、
・ＲＲＣリリースメッセージを受信すると、ＵＥは保存されているアイドル／インアクティブモビリティ関連のパラメータを破棄し、関連する動作の実行を停止する。
・ＲＲＣサスペンドメッセージを受信すると、ＵＥは保存されているアイドル／インアクティブモビリティ関連のパラメータを破棄し、関連する動作の実行を停止する。
【００４７】
本明細書で使用されるアイドル／インアクティブモビリティ関連のパラメータは、ｍｏｂｉｌｉｔｙＣｏｎｔｒｏｌＩｎｆｏ（例えば、ｉｄｌｅＭｏｂｉｌｉｔｙＣｏｎｔｒｏｌＩｎｆｏ）、リダイレクションキャリア情報、セル再選択オフセット、セル品質導出パラメータなどである。
【００４８】
＜ある実施形態に従ったＲＲＣ仕様の実装＞
メカニズムの例として、ＲＲＣリリースまたはＲＲＣサスペンドで提供されるＩｄｌｅＭｏｂｉｌｉｔｙＣｏｎｔｒｏｌＩｎｆｏフィールドをタイマで制御する場合の使用法を以下に示す。また、フィールドｒｅｄｉｒｅｃｔｅｄＣａｒｒｉｅｒＯｆｆｓｅｔＤｅｄｉｃａｔｅｄも含まれる。
【００４９】
2021520667.tif 000011
2021520667.tif 000012
2021520667.tif 000013
【００５０】
2021520667.tif 000014
2021520667.tif 000015
2021520667.tif 000016
2021520667.tif 000017
2021520667.tif 000018
2021520667.tif 000019
【００５１】
2021520667.tif 000020
【００５２】
＜方法と装置＞
図５は、特定の実施形態に従った、無線通信ネットワークで動作する無線デバイスによって実行される無線リソース制御（ＲＲＣ）状態を管理する方法１００を示している。ＲＲＣ＿ＩＮＡＣＴＩＶＥ状態にありかつアイドルまたはインアクティブモビリティに関連する動作を実行している間に、ＲＲＣ＿ＣＯＮＮＥＣＴＥＤ状態に入ることを要求するＲＲＣメッセージがネットワークに送信される（ブロック１０２）。ＲＲＣ＿ＩＤＬＥ状態に入るかまたはＲＲＣ＿ＩＮＡＣＴＩＶＥ状態のまま残るように無線デバイスに指示するＲＲＣメッセージがネットワークから受信される（ブロック１０４）。受信したＲＲＣメッセージに応答して、保存されたアイドルまたはインアクティブモビリティ関連の１つまたは複数の専用のパラメータが破棄される（ブロック１０６）。また、受信したＲＲＣメッセージに応答して、アイドルまたはインアクティブモビリティ関連の専用のパラメータに関連付けられた動作が中止される（ブロック１０８）。
【００５３】
図６は、他の特定の実施形態に従った、無線リソース制御（ＲＣＣ）プロトコルを実装する無線通信ネットワークで動作する基地局によって実行される無線デバイスを管理する方法２００を示している。ＲＲＣ＿ＩＤＬＥ状態またはＲＲＣ＿ＩＮＡＣＴＩＶＥ状態にある無線デバイスから、ＲＲＣ＿ＣＯＮＮＥＣＴＥＤ状態に入ることを要求するＲＲＣメッセージが受信される（ブロック２０２）。要求に応答して、ＲＲＣ＿ＩＤＬＥ状態に入るかまたはＲＲＣ＿ＩＮＡＣＴＩＶＥ状態のまま残るように無線デバイスに指示するＲＲＣメッセージが無線デバイスに送信される（ブロック２０４）。無線デバイスによって受信されたＲＲＣメッセージに応答して当該無線デバイスが保存されたアイドルまたはインアクティブモビリティ関連の１つまたは複数のパラメータを破棄することを想定して、無線デバイスが管理される（ブロック２０６）。無線デバイスによって受信されたＲＲＣメッセージに応答して当該無線デバイスがアイドルまたはインアクティブモビリティ関連のパラメータに関連付けられた動作を中止することを想定して、無線デバイスがさらに管理される（ブロック２０８）。
【００５４】
本明細書に記載された装置は、任意の機能的手段、モジュール、ユニット、または回路を実装することによって、本明細書に記載された方法１００、２００、および任意の他の処理を実行してもよい。ある実施形態では、例えば、装置は、方法の図に示されたステップを実行するように構成されたそれぞれの回路（circuits）または回路（circuitry）を構成する。この点での回路または回路は、特定の機能的処理を実行するために専用の回路、および／またはメモリと連動した１つ以上のマイクロプロセッサを構成してもよい。例えば、回路は、１つ以上のマイクロプロセッサまたはマイクロコントローラ、およびデジタル信号プロセッサ（ＤＳＰ）、特別目的デジタルロジックなどを含む他のデジタルハードウェアを含んでもよい。処理回路は、メモリに記憶されたプログラムコードを実行するように構成されていてもよく、このメモリは、リードオンリーメモリ（ＲＯＭ）、ランダムアクセスメモリ、キャッシュメモリ、フラッシュメモリ装置、光記憶装置などの１種類または複数種類のメモリを含んでいてもよい。メモリに記憶されたプログラムコードは、いくつかの実施形態において、本明細書に記載された技術のうちの１つまたは複数の技術を実行するための命令と同様に、１つまたは複数の電気通信プロトコルおよび／またはデータ通信プロトコルを実行するためのプログラム命令を含んでもよい。メモリを採用する実施形態では、メモリは、１つ以上のプロセッサによって実行されると本明細書に記載された技術を実行するプログラムコードを格納する。
【００５５】
例示のための図７は、１つ以上の実施形態に従って実施されるような無線デバイス１０を例示する。無線デバイス１０は、無線信号を使用してネットワークノードおよび／またはアクセスポイントと通信することができる任意のタイプのデバイスである。したがって、無線デバイス１０は、マシンツーマシン（Ｍ２Ｍ）デバイス、マシンタイプ通信（ＭＴＣ）デバイス、狭帯域インターネットオブシングス（ＮＢ  ＩｏＴ）デバイスなどを参照してもよい。無線デバイス１０は、携帯電話や「スマートフォン」などのユーザ装置（ＵＥ）と呼ばれることもあるが、用語ＵＥは、任意の無線デバイス１０を包含するように理解されるべきである。無線デバイス１０はまた、無線デバイス、無線通信デバイス、無線デバイス、無線端末、または単に端末と呼ばれてもよく、文脈が別段のことを示さない限り、これらの用語のいずれかの使用は、デバイス間ＵＥまたはデバイス、マシンタイプデバイスを含むことを意図している。またはマシンツーマシン通信が可能なデバイス、無線デバイスを備えたセンサ、無線対応テーブルコンピュータ、モバイル端末、スマートフォン、ラップトップ内蔵装置（ＬＥＥ）、ラップトップ搭載装置（ＬＭＥ）、ＵＳＢドングル、無線顧客宅内装置（ＣＰＥ）などが挙げられる。本明細書の議論において、マシンツーマシン（Ｍ２Ｍ）デバイス、マシンタイプ通信（ＭＴＣ）デバイス、無線センサ、およびセンサという用語が使用されることもある。これらのデバイスは、ＵＥと呼ばれるが、人間との直接の相互作用なしにデータを送信および／または受信するように構成されてもよいことが理解されるべきである。
【００５６】
いくつかの実施形態では、無線デバイス１０は、ユーザインタフェース１２（ディスプレイ、タッチスクリーン、キーボードまたはキーパッド、マイク、スピーカなど）を含み、他の実施形態では、多くのＭ２Ｍ、ＭＴＣ、またはＮＢのＩｏＴシナリオのように、無線デバイス１０は、最小限のユーザインタフェース１２のみ含むかまたは（図７のブロック１２の破線で示されるように）全く含まないユーザインタフェース１２を含んでもよい。無線デバイス１０はまた、基地局などの１つ以上の無線ネットワークノード、および／またはアクセスポイントなどの１つ以上の無線ネットワークノードへのエアインタフェースを横切る無線通信を効果的に行うために、１つ以上のアンテナ２０に接続された処理回路１４、メモリ１６、および通信回路１８を含む。破線で示されるように、アンテナ（複数可）２０は、無線デバイス１０から外部に突出していてもよく、またはアンテナ（複数可）２０は内部にあってもよい。いくつかの実施形態では、無線デバイス１０は、洗練されたユーザインタフェース３２を含んでもよく、カメラ、加速度計、衛星ナビゲーション信号受信回路、振動モータなどの機能を追加的に含んでもよい（図７には図示されていない）。
【００５７】
本発明の実施形態によれば、メモリ１６は、記憶するために作動し、処理回路１４は、実行するために作動するソフトウェアを実行するために作動し、実行された場合には、無線デバイス１０に無線リソース制御（ＲＲＣ）状態を管理させるために作動する。特に、ソフトウェアは、処理回路１４上で実行されると、本明細書に記載され、請求される方法１００を実行するために作動する。この点での処理回路１４は、特定の機能的手段、ユニット、またはモジュールを実装してもよい。
【００５８】
図８は、さらに他の実施形態に従った無線ネットワークにおける無線デバイス３０の概略ブロック図である。示されているように、無線デバイス３０は、例えば、図７の処理回路１４を介して、および／またはソフトウェアコードを介して、様々な機能的手段、ユニット、またはモジュールを実装する。本明細書の方法（複数可）を実装するためのこれらの機能的手段、ユニット、またはモジュールは、例えば、ＲＲＣメッセージ送信ユニット３２、ＲＲＣメッセージ受信ユニット３４、ＩＤＬＥ／ＩＮＡＣＴＩＶＥモビリティパラメータ破棄ユニット３６、およびＩＤＬＥ／ＩＮＡＣＴＩＶＥモビリティアクティビティ中止ユニット３８を含む。
【００５９】
ＲＲＣメッセージ送信ユニット３２は、ＲＲＣ＿ＩＮＡＣＴＩＶＥ状態にあり、アイドルモビリティまたはインアクティブモビリティに関する動作を実行している間に、ＲＲＣ＿ＣＯＮＮＥＣＴＥＤ状態への移行を要求するＲＲＣメッセージをネットワークに送信するように構成されている。ＲＲＣメッセージ受信ユニット３４は、無線デバイスがＲＲＣ＿ＩＤＬＥ状態に入るか、またはＲＲＣ＿ＩＮＡＣＴＩＶＥ状態のままであることを指示するネットワークからのＲＲＣメッセージを受信するように構成されている。ＩＤＬＥ／ＩＮＡＣＴＩＶＥモビリティパラメータ破棄ユニット３６は、受信したＲＲＣメッセージに応答して、保存されたアイドルまたはインアクティブモビリティ関連の１つ以上の専用のパラメータを破棄するように構成されている。ＩＤＬＥ／ＩＮＡＣＴＩＶＥモビリティアクティビティ中止ユニット３８は、受信したＲＲＣメッセージに応答して、アイドルまたはインアクティブモビリティ関連の専用のパラメータに関連付けられた動作を中止するように構成されている。
【００６０】
図９は、無線通信ネットワークで動作する基地局５０を示す。基地局５０は、処理回路５２、メモリ５４、および１つまたは複数のアンテナ６０に接続された通信回路５６を含み、１つまたは複数の無線デバイス１０へのエアインタフェースを介した無線通信を実現する。アンテナ６０への断線した接続によって示されるように、アンテナ６０は、タワー、建物、またはそのようなものに取り付けられるなど、基地局５０とは別個に物理的に配置されてもよい。メモリ５６は、処理回路５４の内部にあるように描かれているが、当業者であれば、メモリ５６は外部であってもよいことを理解する。当業者は、仮想化技術によって、処理回路５４によって公称的に実行されるいくつかの機能が、実際に他のハードウェアによって、おそらく遠隔地にある（例えば、いわゆる「クラウド」にある）他のハードウェアによって実行されることが可能になることも理解している。基地局５０は、ＬＴＥではｅＮｏｄｅＢまたはｅＮＢとして知られており、ニューラジオ（ＮＲ）ではｇＮＢとして知られている。一般に、他の無線通信ネットワークでは、基地局５０は、無線基地局、基地送受信局、アクセスポイント、またはそのようなものとして知られていてもよい。
【００６１】
本発明のある実施形態によれば、処理回路５４は、無線リソース制御（ＲＣＣ）プロトコルを実装する無線通信ネットワークの無線デバイス１０を管理するために、基地局５０を動作させる。特に、処理回路５４は、本明細書に記載され、請求される方法２００を実行するために作動可能である。この点での処理回路５４は、特定の機能的手段、ユニット、またはモジュールを実装してもよい。
【００６２】
図１０は、さらに他の実施形態に従った無線ネットワークにおける基地局７０の概略ブロック図である。示されているように、基地局７２は、例えば、図９の処理回路５２を介して、および／またはソフトウェアコードを介して、様々な機能的手段、ユニット、またはモジュールを実装する。本明細書の方法２００を実装するためのこれらの機能的手段、ユニット、またはモジュールは、例えば、ＲＲＣメッセージ受信ユニット７２、ＲＲＣメッセージ送信ユニット７４、および無線デバイス管理ユニット７６を含む。
【００６３】
ＲＲＣメッセージ受信ユニット７２は、ＲＲＣ＿ＩＤＬＥ状態またはＲＲＣ＿ＩＮＡＣＴＩＶＥ状態にある無線デバイスから、ＲＲＣ＿ＣＯＮＮＮＥＣＴＥＤ状態に入ることを要求するＲＲＣメッセージを受信するように構成されている。ＲＲＣメッセージ送信ユニット７４は、要求に応答して、無線デバイスがＲＲＣ＿ＩＤＬＥ状態に入るか、またはＲＲＣ＿ＩＮＡＣＴＩＶＥ状態のままであることを指示するＲＲＣメッセージを無線デバイスに送信するように構成されている。無線デバイス管理ユニット７６は、無線デバイスによって受信されたＲＲＣメッセージに応答して、保存されたアイドルまたはインアクティブモビリティ関連の１つ以上のパラメータを破棄し、さらに、無線デバイスによって受信されたＲＲＣメッセージに応答して、アイドルまたはインアクティブなモビリティ関連パラメータに関連付けられた動作を中止すると想定して、無線デバイスを管理するように構成されている。
【００６４】
当業者は、本明細書の実施形態が、対応するコンピュータプログラムをさらに含むことも理解するであろう。
【００６５】
コンピュータプログラムは、装置の少なくとも１つのプロセッサ上で実行されると、装置に上述の各処理のいずれかを実行させる命令を含む。この点でのコンピュータプログラムは、上述の手段またはユニットに対応する１つ以上のコードモジュールを含んでいてもよい。
【００６６】
実施形態はさらに、そのようなコンピュータプログラムを含むキャリアを含む。このキャリアは、電気信号、光信号、無線信号、またはコンピュータ可読記憶媒体のうちの１つを含んでいてもよい。
【００６７】
これに関して、本明細書の実施形態はまた、非一時的コンピュータ可読（記憶または記録）媒体に格納されたコンピュータプログラム製品を含み、装置のプロセッサによって実行されると、装置に上述したような実行を行わせる命令を含む。
【００６８】
実施形態はさらに、コンピュータプログラム製品がコンピューティングデバイスによって実行されるときに、本明細書の実施形態のいずれかのステップを実行するためのプログラムコード部分からなるコンピュータプログラム製品を含む。このコンピュータプログラム製品は、コンピュータ可読記録媒体に格納されていてもよい。
【００６９】
もちろん、本発明は、本発明の本質的な特徴から逸脱することなく、本明細書に具体的に記載されている方法以外の方法で実施されてもよい。本発明の実施形態は、あらゆる点で例示的であり、制限的ではないとみなされるべきであり、添付の特許請求の範囲の意味および均等の範囲内に入ってくるすべての変更は、そこに包含されることが意図されている。
【００７０】
もちろん、本発明は、本発明の本質的な特徴から逸脱することなく、本明細書に具体的に記載されている方法以外の方法で実施されてもよい。本発明の実施形態は、あらゆる点で例示的であり、制限的ではないとみなされるべきであり、添付の特許請求の範囲の意味および均等の範囲内に入ってくるすべての変更は、そこに包含されることが意図されている。
【００７１】
＜オーバーザトップの実施形態＞
本明細書に記載された主題は、任意の適切な構成要素を使用して任意の適切なタイプのシステムで実装されてもよいが、本明細書に開示された実施形態は、図ＱＱ１に図示された例示的な無線ネットワークのような無線ネットワークに関連して記載されている。単純化のために、図ＱＱ１の無線ネットワークは、ネットワークＱＱ１０６、ネットワークノードＱＱ１６０およびＱＱ１６０ｂ、およびＷＤＱＱ１１０、ＱＱ１１０ｂ、およびＱＱ１１０ｃのみを図示している。実際には、無線ネットワークは、無線デバイス間の通信、または無線デバイスと固定電話、サービスプロバイダ、または任意の他のネットワークノードまたはエンドデバイスなどの他の通信デバイスとの間の通信をサポートするのに適した任意の追加要素をさらに含んでもよい。図示された構成要素のうち、ネットワークノードＱＱ１６０および無線デバイス（ＷＤ）ＱＱ１１０がさらに詳細に描かれている。無線ネットワークは、無線デバイスの無線ネットワークによって提供されるサービスへのアクセスおよび／または無線ネットワークを介したサービスの使用を容易にするために、通信および他のタイプのサービスを１つ以上の無線デバイスに提供してもよい。
【００７２】
無線ネットワークは、任意のタイプの通信、電気通信、データ、セルラー、および／または無線ネットワーク、または他の類似のタイプのシステムとのインタフェースを構成してもよい。いくつかの実施形態では、無線ネットワークは、特定の規格または他のタイプの事前に定義された規則または手順に従って動作するように構成されてもよい。したがって、無線ネットワークの特定の実施形態は、移動通信のグローバルシステム（ＧＳＭ）、ユニバーサル移動通信システム（ＵＭＴＳ）、ロングタームエボリューション（ＬＴＥ）、狭帯域インターネットオブシングス（ＮＢ−ＩｏＴ）、および／または他の適切な２Ｇ、３Ｇ、４Ｇ、または５Ｇ規格などの通信規格、ＩＥＥＥＥ８０２．１１規格などの無線ローカルエリアネットワーク（ＷＬＡＮ）規格；および／または、マイクロ波アクセスのための世界相互運用性（ＷｉＭａｘ）、Ｂｌｕｅｔｏｏｔｈ（登録商標）、Ｚ−Ｗａｖｅおよび／またはＺｉｇＢｅｅ規格などの他の適切な無線通信規格に実施し得る。
【００７３】
ネットワークＱＱ１０６は、デバイス間の通信を可能にするために、１つまたは複数のバックホールネットワーク、コアネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、および他のネットワークから構成されていてもよい。
【００７４】
ネットワークノードＱＱ１６０およびＷＤＱＱ１１０は、以下に詳細に説明する各種構成要素を構成する。これらの構成要素は、無線ネットワークにおける無線接続の提供など、ネットワークノードおよび／または無線デバイスの機能を提供するために協働する。異なる実施形態では、無線ネットワークは、有線または無線ネットワーク、ネットワークノード、基地局、コントローラ、無線デバイス、中継局、および／または有線接続または無線接続を介してデータおよび／または信号の通信を容易にするか、またはそれに参加する任意の数の他の構成要素またはシステムで構成されてもよい。
【００７５】
本明細書で使用されるように、ネットワークノードは、無線デバイスおよび／または無線デバイスへの無線アクセスを可能にし、および／または無線ネットワーク内の他の機能（例えば、管理）を実行するために、無線デバイスおよび／または無線ネットワーク内の他のネットワークノードまたは装置と直接または間接的に通信することが可能であり、構成され、配置され、および／または操作可能な装置を指す。ネットワークノードの例としては、アクセスポイント（ＡＰ）（例えば、無線アクセスポイント）、基地局（ＢＳ）（例えば、無線基地局、ノードＢ、進化型ノードＢ（ｅＮＢ）、およびＮＲノードＢ（ｇＮＢ））が挙げられるが、これらに限定されない。基地局は、それらが提供するカバレッジの量（または、別の言い方をすれば、それらの送信電力レベル）に基づいて分類されてもよく、フェムト基地局、ピコ基地局、マイクロ基地局、またはマクロ基地局と呼ばれてもよい。基地局は、中継ノードまたは中継を制御する中継ドナーノードであってもよい。ネットワークノードはまた、集中デジタルユニットおよび／またはリモート無線ユニット（ＲＲＵ）（リモート無線ヘッド（ＲＲＨ）と呼ばれることもある）などの分散型無線基地局の１つまたは複数（またはすべて）の部分を含んでもよい。そのような遠隔無線ユニットは、アンテナ一体型無線機としてアンテナと一体化されていてもよいし、一体化されていなくてもよい。分散型無線基地局の一部は、分散型アンテナシステム（ＤＡＳ）のノードと呼ばれることもある。さらに別の例として、ネットワークノードは、ＭＳＲ＿ＢＳなどのマルチスタンダード無線（ＭＳＲ）機器、無線ネットワークコントローラ（ＲＮＣ）または基地局コントローラ（ＢＳＣ）などのネットワークコントローラ、基地送受信局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは、以下でより詳細に説明するように、仮想ネットワークノードであってもよい。しかし、より一般的には、ネットワークノードは、無線ネットワークへのアクセスを可能にし、および／または無線デバイスに無線ネットワークへのアクセスを提供するか、または無線ネットワークにアクセスした無線デバイスに何らかのサービスを提供することができる、構成され、配置され、および／または操作可能な任意の適切なデバイス（またはデバイスのグループ）を表してもよい。
【００７６】
図ＱＱ１において、ネットワークノードＱＱ１６０は、処理回路ＱＱ１７０、デバイス可読媒体ＱＱ１８０、インタフェースＱＱ１９０、補助装置ＱＱ１８４、電源ＱＱ１８６、電源回路ＱＱ１８７、アンテナＱＱ１６２を含む。図ＱＱ１の例示的な無線ネットワークに図示されたネットワークノードＱＱ１６０は、図示されたハードウェア構成要素の組み合わせを含むデバイスを表してもよいが、他の実施形態では、構成要素の異なる組み合わせを有するネットワークノードを構成してもよい。ネットワークノードは、本明細書に開示されたタスク、特徴、機能、および方法を実行するために必要なハードウェアおよび／またはソフトウェアの任意の適切な組み合わせから構成されることが理解されるであろう。さらに、ネットワークノードＱＱ１６０の構成要素は、より大きなボックス内に配置された単一のボックスとして、または複数のボックス内に入れ子状に配置されたボックスとして描かれているが、実際には、ネットワークノードは、図示された単一の構成要素を構成する複数の異なる物理的構成要素から構成されてもよい（例えば、デバイス可読媒体ＱＱ１８０は、複数の独立したハードドライブおよび複数のＲＡＭモジュールから構成されてもよい）。
【００７７】
同様に、ネットワークノードＱＱ１６０は、複数の物理的に分離した構成要素（例えば、ＮｏｄｅＢ構成要素とＲＮＣ構成要素、またはＢＴＳ構成要素とＢＳＣ構成要素など）で構成されていてもよく、これらの構成要素は、それぞれ、固有の構成要素を有していてもよい。ネットワークノードＱＱ１６０が複数の別個の構成要素（例えば、ＢＴＳ構成要素およびＢＳＣ構成要素）を構成する特定のシナリオでは、別個の構成要素のうちの１つまたは複数が、複数のネットワークノード間で共有されてもよい。例えば、単一のＲＮＣが複数のＮｏｄｅＢを制御してもよい。そのようなシナリオでは、それぞれのユニークなＮｏｄｅＢとＲＮＣのペアは、いくつかの実施形態では、単一の別個のネットワークノードとみなされてもよい。いくつかの実施形態では、ネットワークノードＱＱ１６０は、複数の無線アクセス技術（ＲＡＴ）をサポートするように構成されてもよい。そのような実施形態では、一部の構成要素は重複していてもよく（例えば、異なるＲＡＴのための別個のデバイス可読媒体ＱＱ１８０）、一部の構成要素は再利用されてもよい（例えば、同じアンテナＱＱ１６２がＲＡＴによって共有されてもよい）。ネットワークノードＱＱ１６０はまた、ネットワークノードＱＱ１６０に統合された異なる無線技術、例えば、ＧＳＭ、ＷＣＤＭＡ、ＬＴＥ、ＮＲ、ＷｉＦｉ、またはＢｌｕｅｔｏｏｏｔｈなどの無線技術のための様々な図示された構成要素の複数のセットを含んでもよい。これらの無線技術は、ネットワークノードＱＱ１６０内の同じチップまたは異なるチップのセットおよび他の構成要素に統合されてもよい。
【００７８】
処理回路ＱＱ１７０は、ネットワークノードによって提供されるものとして本明細書に記載されている任意の決定、計算、または類似の操作（例えば、特定の取得操作）を実行するように構成されている。処理回路ＱＱ１７０によって実行されるこれらの操作は、例えば、得られた情報を他の情報に変換すること、得られた情報または変換された情報をネットワークノードに格納された情報と比較すること、および／または得られた情報または変換された情報に基づいて１つ以上の操作を実行することによって処理回路ＱＱ１７０によって得られた情報を処理すること、および処理の結果として決定を行うことを含んでもよい。
【００７９】
処理回路ＱＱ１７０は、マイクロプロセッサ、コントローラ、マイクロコントローラ、中央処理装置、デジタル信号プロセッサ、特定用途向け集積回路、フィールドプログラマブルゲートアレイ、または他の適切なコンピューティングデバイス、リソース、またはハードウェア、ソフトウェア、および／または符号化された論理の組み合わせのうちの１つ以上の組み合わせで構成されていてもよく、単独で、または他のネットワークノードＱＱ１６０の構成要素、例えばデバイス可読媒体ＱＱ１８０、ネットワークノードＱＱ１６０の機能を提供するために操作可能なものである。例えば、処理回路ＱＱ１７０は、デバイス可読媒体ＱＱ１８０に格納された命令を実行してもよいし、処理回路ＱＱ１７０内のメモリに格納された命令を実行してもよい。そのような機能性は、本明細書で議論される様々な無線機能、機能、または利点のいずれかを提供することを含んでもよい。いくつかの実施形態では、処理回路ＱＱ１７０は、システムオンチップ（ＳＯＣ）を含んでもよい。
【００８０】
いくつかの実施形態では、処理回路ＱＱ１７０は、無線周波数（ＲＦ）送受信回路ＱＱ１７２およびベースバンド処理回路ＱＱ１７４のうちの１つまたは複数を含んでもよい。いくつかの実施形態では、無線周波数（ＲＦ）送受信回路ＱＱ１７２およびベースバンド処理回路ＱＱ１７４は、無線ユニットおよびデジタルユニットなどの別個のチップ（またはチップのセット）、基板、またはユニット上にあってもよい。代替の実施形態では、ＲＦ送受信回路ＱＱ１７２およびベースバンド処理回路ＱＱ１７４の一部または全部が、同じチップまたはチップ、基板、またはユニットのセット上にあってもよい。
【００８１】
特定の実施形態では、ネットワークノード、基地局、ｅＮＢまたは他のそのようなネットワークデバイスによって提供されるものとして本明細書に記載された機能の一部またはすべては、処理回路ＱＱ１７０が、デバイス可読媒体ＱＱ１８０または処理回路ＱＱ１７０内のメモリに格納された命令を実行することによって実行されてもよい。代替の実施形態では、機能の一部またはすべては、ハードワイヤード方式などの別個のまたは離散的なデバイス可読媒体に格納された命令を実行することなく、処理回路ＱＱ１７０によって提供されてもよい。それらの実施形態のいずれかにおいて、デバイス可読記憶媒体に格納された命令を実行するか否かにかかわらず、処理回路ＱＱ１７０は、記載された機能性を実行するように構成され得る。このような機能性によって提供される利点は、処理回路ＱＱ１７０単独またはネットワークノードＱＱ１６０の他の構成要素に限定されるものではなく、ネットワークノードＱＱ１６０全体、および／またはエンドユーザおよび無線ネットワーク一般によって享受される。
【００８２】
デバイス可読媒体ＱＱ１８０は、揮発性または不揮発性のコンピュータ可読メモリの任意の形態で構成されてもよく、永続記憶装置、ソリッドステートメモリ、リモートマウントメモリ、磁気媒体、光学媒体、ランダムアクセスメモリ（ＲＡＭ）、読み取り専用メモリ（ＲＯＭ）、大容量記憶媒体（例えば、ハードディスク）、リムーバブル記憶媒体（例えば、フラッシュドライブ、コンパクトディスク（ＣＤ）またはデジタルビデオディスク（ＤＶＤ））、および／または処理回路ＱＱ１７０によって使用され得る情報、データ、および／または命令を格納する他の任意の揮発性または不揮発性の、非一時的デバイス可読媒体および／またはコンピュータ実行可能な記憶装置を含むが、これに限定されない。デバイス可読媒体ＱＱ１８０は、コンピュータプログラム、ソフトウェア、ロジック、ルール、コード、テーブルなどの１つまたは複数を含むアプリケーション、および／または処理回路ＱＱ１７０によって実行され、ネットワークノードＱＱ１６０によって利用されることが可能な他の命令を含む、任意の適切な命令、データまたは情報を格納することができる。デバイス可読媒体ＱＱ１８０は、処理回路ＱＱ１７０および／またはインタフェースＱＱ１９０を介して受信された任意のデータによって行われた任意の計算を格納するために使用されてもよい。いくつかの実施形態では、処理回路ＱＱ１７０およびデバイス可読媒体ＱＱ１８０は、統合されていると考えられてもよい。
【００８３】
インタフェースＱＱ１９０は、ネットワークノードＱＱ１６０、ネットワークＱＱ１０６、および／またはＷＤＱＱ１１０間のシグナリングおよび／またはデータの有線または無線通信で使用される。図示されているように、インタフェースＱＱ１９０は、例えば有線接続を介してネットワークＱＱ１０６との間でデータを送受信するためのポート（複数可）／端末（複数可）ＱＱ１９４を構成する。インタフェースＱＱ１９０はまた、アンテナＱＱ１６２に結合されるか、または特定の実施形態ではアンテナＱＱ１６２の一部である無線フロントエンド回路ＱＱ１９２を含む。無線フロントエンド回路ＱＱ１９２は、フィルタＱＱ１９８および増幅器ＱＱ１９６を含む。無線フロントエンド回路ＱＱ１９２は、アンテナＱＱ１６２および処理回路ＱＱ１７０に接続されてもよい。無線フロントエンド回路は、アンテナＱＱ１６２と処理回路ＱＱ１７０との間で通信される信号を条件付けするように構成されていてもよい。無線フロントエンド回路ＱＱ１９２は、無線接続を介して他のネットワークノードまたはＷＤに送信されるべきデジタルデータを受信してもよい。無線フロントエンド回路ＱＱ１９２は、フィルタＱＱ１９８および／または増幅器ＱＱ１９６の組み合わせを使用して、デジタルデータを適切なチャネルおよび帯域幅パラメータを有する無線信号に変換してもよい。そして、無線信号は、アンテナＱＱ１６２を介して送信されてもよい。同様に、データを受信する場合、アンテナＱＱ１６２は、無線フロントエンド回路ＱＱ１９２によってデジタルデータに変換される無線信号を収集してもよい。デジタルデータは、処理回路ＱＱ１７０に渡されてもよい。他の実施形態では、インタフェースは、異なる構成要素および／または構成要素の異なる組み合わせで構成されてもよい。
【００８４】
特定の代替的な実施形態では、ネットワークノードＱＱ１６０は、別個の無線フロントエンド回路ＱＱ１９２を含んでいなくてもよく、代わりに、処理回路ＱＱ１７０は、無線フロントエンド回路を構成してもよく、別個の無線フロントエンド回路ＱＱ１９２を含まずにアンテナＱＱ１６２に接続されていてもよい。同様に、いくつかの実施形態では、ＲＦ送受信回路ＱＱ１７２の全部または一部は、インタフェースＱＱ１９０の一部とみなされてもよい。まだ他の実施形態では、インタフェースＱＱ１９０は、無線ユニット（図示せず）の一部として、１つまたは複数のポートまたは端子ＱＱ１９４、無線フロントエンド回路ＱＱ１９２、およびＲＦ送受信回路ＱＱ１７２を含んでもよく、インタフェースＱＱ１９０は、デジタルユニット（図示せず）の一部であるベースバンド処理回路ＱＱ１７４と通信してもよい。
【００８５】
アンテナＱＱ１６２は、無線信号を送信および／または受信するように構成された１つ以上のアンテナ、またはアンテナアレイを含んでもよい。アンテナＱＱ１６２は、無線フロントエンド回路ＱＱ１９０に結合されてもよく、データおよび／または信号を無線で送受信することができる任意のタイプのアンテナであってもよい。いくつかの実施形態では、アンテナＱＱ１６２は、例えば２ＧＨｚと６６ＧＨｚの間で無線信号を送受信するために動作可能な１つ以上の無指向性アンテナ、セクタアンテナ、またはパネルアンテナを構成してもよい。無指向性アンテナは、任意の方向の無線信号を送受信するために使用されてもよく、セクターアンテナは、特定の領域内のデバイスからの無線信号を送受信するために使用されてもよく、パネルアンテナは、無線信号を比較的直線的に送受信するために使用される視線アンテナであってもよい。いくつかの実施形態では、複数のアンテナの使用は、ＭＩＭＯと呼ばれてもよい。特定の実施形態では、アンテナＱＱ１６２は、ネットワークノードＱＱ１６０から分離されていてもよく、インタフェースまたはポートを介してネットワークノードＱＱ１６０に接続可能であってもよい。
【００８６】
アンテナＱＱ１６２、インタフェースＱＱ１９０、および／または処理回路ＱＱ１７０は、ネットワークノードによって実行されるものとして本明細書に記載されている任意の受信操作および／または特定の取得操作を実行するように構成されてもよい。任意の情報、データおよび／または信号は、無線デバイス、別のネットワークノード、および／または任意の他のネットワーク機器から受信されてもよい。同様に、アンテナＱＱ１６２、インタフェースＱＱ１９０、および／または処理回路ＱＱ１７０は、ネットワークノードによって実行されるものとして本明細書に記載されている任意の送信操作を実行するように構成されていてもよい。任意の情報、データおよび／または信号は、無線装置、別のネットワークノード、および／または任意の他のネットワーク機器に送信されてもよい。
【００８７】
電力回路ＱＱ１８７は、電力管理回路を構成してもよく、またはそれに結合されてもよく、ネットワークノードＱＱ１６０の構成要素に、本明細書に記載された機能を実行するための電力を供給するように構成されている。電力回路ＱＱ１８７は、電源ＱＱ１８６から電力を受け取ってもよい。電源ＱＱ１８６および／または電源回路ＱＱ１８７は、それぞれの構成要素に適した形で（例えば、それぞれの構成要素に必要とされる電圧および電流レベルで）ネットワークノードＱＱ１６０の様々な構成要素に電力を供給するように構成されてもよい。電源ＱＱ１８６は、電源回路ＱＱ１８７および／またはネットワークノードＱＱ１６０に含まれていてもよいし、外部にあってもよい。例えば、ネットワークノードＱＱ１６０は、入力回路または電気ケーブルなどのインタフェースを介して外部電源（例えば、コンセント）に接続可能であってもよく、それにより、外部電源は電源回路ＱＱ１８７に電力を供給する。さらなる例として、電源ＱＱ１８６は、電源回路ＱＱ１８７に接続されているか、または電源回路ＱＱ１８７に統合されている電池または電池パックの形態の電源で構成されてもよい。バッテリは、外部電源が故障した場合にバックアップ電力を提供してもよい。また、光起電力デバイスのような他のタイプの電源を使用してもよい。
【００８８】
ネットワークノードＱＱ１６０の代替的な実施形態は、本明細書に記載された機能のいずれかおよび／または本明細書に記載された主題をサポートするために必要な機能のいずれかを含む、ネットワークノードの機能の特定の側面を提供するために責任を負うことができる、図ＱＱ１に示されたものを超えた追加の構成要素を含んでもよい。例えば、ネットワークノードＱＱ１６０は、ネットワークノードＱＱ１６０への情報の入力を可能にし、ネットワークノードＱＱ１６０からの情報の出力を可能にするためのユーザインタフェース装置を含んでもよい。これにより、ユーザは、ネットワークノードＱＱ１６０の診断、保守、修理、および他の管理機能を実行することができるようにしてもよい。
【００８９】
本明細書で使用されるように、無線デバイス（ＷＤ）は、ネットワークノードおよび／または他の無線デバイスと無線で通信することが可能で、構成され、配置され、および／または動作可能なデバイスを指す。特に断りのない限り、用語ＷＤは、本明細書では、ユーザ装置（ＵＥ）と互換的に使用され得る。無線通信は、電磁波、電波、赤外線、および／またはエアを介して情報を伝達するのに適した他のタイプの信号を使用して無線信号を送信および／または受信することを含み得る。いくつかの実施形態では、ＷＤは、人間の直接的な相互作用なしに情報を送信および／または受信するように構成されてもよい。例えば、ＷＤは、内部イベントまたは外部イベントによってトリガされたとき、またはネットワークからの要求に応答して、所定のスケジュールでネットワークに情報を送信するように構成されてもよい。ＷＤの例としては、スマートフォン、携帯電話、セル電話、ボイスオーバーＩＰ（ＶｏＩＰ）電話、無線ローカルループ電話、デスクトップコンピュータ、パーソナルデジタルアシスタント（ＰＤＡ）、無線カメラ、ゲーム機または装置、音楽ストレージ装置、再生装置、ウェアラブル端末装置、無線エンドポイント、モバイルステーション、タブレット、ラップトップ、ラップトップ内蔵装置（ＬＥＥ）、ラップトップ搭載装置（ＬＭＥ）、スマートデバイス、無線顧客宅内装置（ＣＰＥ）などが挙げられるが、これらに限定されるものではない。車載型無線端末装置など。ＷＤは、例えば、サイドリンク通信、車両間通信（Ｖ２Ｖ）、車両対インフラストラクチャ（Ｖ２Ｉ）、車両対任意物通信（Ｖ２Ｘ）のための３ＧＰＰ規格を実装することによって、デバイス間通信（Ｄ２Ｄ）をサポートしてもよく、この場合、Ｄ２Ｄ通信装置と呼ばれてもよい。さらに他の具体例として、モノのインターネット（ＩｏＴ）シナリオにおいて、ＷＤは、監視および／または測定を実行し、そのような監視および／または測定の結果を他のＷＤおよび／またはネットワークノードに送信する機械または他の装置を表してもよい。この場合、ＷＤは、３ＧＰＰの文脈ではＭＴＣデバイスと呼ばれるマシンツーマシン（Ｍ２Ｍ）デバイスであってもよい。特定の例として、ＷＤは、３ＧＰＰのナローバンドインターネットオブシングス（ＮＢ−ＩｏＴ）標準を実装したＵＥであり得る。このような機械または装置の特に例としては、センサー、電力計などの計量装置、産業機械、または家庭用または個人用の電化製品（冷蔵庫、テレビなど）個人用ウェアラブル（時計、フィットネストラッカーなど）がある。他の態様では、ＷＤは、その動作状態またはその動作に関連する他の機能を監視および／または報告することができる車両または他の装置を表してもよい。上述のようなＷＤは、無線接続のエンドポイントを表してもよく、この場合、装置は無線端末と呼ばれてもよい。さらに、上述したようなＷＤは、移動可能であってもよく、その場合には、移動装置または移動端末と呼ばれてもよい。
【００９０】
図示されているように、無線デバイスＱＱ１１０は、アンテナＱＱ１１１、インタフェースＱＱ１１４、処理回路ＱＱ１２０、デバイス可読媒体ＱＱ１３０、ユーザインタフェース装置ＱＱ１３２、補助装置ＱＱ１３４、電源ＱＱ１３６、および電源回路ＱＱ１３７を含む。ＷＤＱＱ１１０は、ＷＤＱＱ１１０によってサポートされる異なる無線技術、例えば、いくつかを挙げるとすれば、例えば、ＧＳＭ、ＷＣＤＭＡ、ＬＴＥ、ＮＲ、ＷｉＦｉ、ＷｉＭＡＸ、ＮＢ−ＩｏＴ、またはＢｌｕｅｔｏｏｏｔｈの無線技術のような、図示された１つ以上の構成要素の複数のセットを含んでもよい。これらの無線技術は、ＷＤＱＱ１１０内の他の構成要素と同じチップまたは異なるチップのセットに統合されていてもよい。
【００９１】
アンテナＱＱ１１１は、無線信号を送信および／または受信するように構成された１つ以上のアンテナまたはアンテナアレイを含んでもよく、インタフェースＱＱ１１４に接続される。特定の代替実施形態では、アンテナＱＱ１１１は、ＷＤＱＱ１１０から分離され、インタフェースまたはポートを介してＷＤＱＱ１１０に接続可能であってもよい。アンテナＱＱ１１１、インタフェースＱＱ１１４、および／または処理回路ＱＱ１２０は、ＷＤによって実行されるものとして本明細書に記載されている任意の受信または送信操作を実行するように構成されてもよい。任意の情報、データおよび／または信号は、ネットワークノードおよび／または別のＷＤから受信されてもよい。いくつかの実施形態では、無線フロントエンド回路および／またはアンテナＱＱ１１１は、インタフェースと見なされてもよい。
【００９２】
図示されているように、インタフェースＱＱ１１４は、無線フロントエンド回路ＱＱ１１２およびアンテナＱＱ１１１を含む。無線フロントエンド回路ＱＱ１１２は、１つ以上のフィルタＱＱ１１８および増幅器ＱＱ１１６を構成する。無線フロントエンド回路ＱＱ１１４は、アンテナＱＱ１１１および処理回路ＱＱ１２０に接続されており、アンテナＱＱ１１１と処理回路ＱＱ１２０との間で通信される信号を条件付けるように構成されている。無線フロントエンド回路ＱＱ１１２は、アンテナＱＱ１１１に結合されていてもよいし、アンテナＱＱ１１１の一部であってもよい。いくつかの実施形態では、ＷＤＱＱ１１０は、別個の無線フロントエンド回路ＱＱ１１２を含んでいなくてもよく、むしろ、処理回路ＱＱ１２０は、無線フロントエンド回路を構成してもよく、アンテナＱＱ１１１に接続されてもよい。同様に、いくつかの実施形態では、ＲＦ送受信回路ＱＱ１２２の一部または全部が、インタフェースＱＱ１１４の一部とみなされてもよい。無線フロントエンド回路ＱＱ１１２は、無線接続を介して他のネットワークノードまたはＷＤに送信されるべきデジタルデータを受信してもよい。無線フロントエンド回路ＱＱ１１２は、フィルタＱＱ１１８および／または増幅器ＱＱ１１６の組み合わせを使用して、デジタルデータを適切なチャネルおよび帯域幅パラメータを有する無線信号に変換してもよい。そして、無線信号は、アンテナＱＱ１１１を介して送信されてもよい。同様に、データを受信する場合、アンテナＱＱ１１１は、無線フロントエンド回路ＱＱ１１２によってデジタルデータに変換される無線信号を収集してもよい。デジタルデータは、処理回路ＱＱ１２０に渡されてもよい。他の実施形態では、インタフェースは、異なる構成要素および／または構成要素の異なる組み合わせで構成されてもよい。
【００９３】
処理回路ＱＱ１２０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、またはハードウェア、ソフトウェア、および／または符号化された論理の組み合わせのうちの１つ以上の組み合わせで構成されてもよく、単独で、または他のＷＤＱＱ１１０の構成要素、例えばデバイス可読媒体ＱＱ１３０のようなＷＤＱＱ１１０の機能性を提供するために動作可能である。このような機能性は、本明細書で議論される様々な無線機能または利点のいずれかを提供することを含むことができる。例えば、処理回路ＱＱ１２０は、本明細書に開示された機能を提供するために、デバイス可読媒体ＱＱ１３０に格納された命令を実行してもよいし、処理回路ＱＱ１２０内のメモリに格納された命令を実行してもよい。
【００９４】
図示されているように、処理回路部ＱＱ１２０は、ＲＦ送受信回路ＱＱ１２２、ベースバンド処理回路部ＱＱ１２４、およびアプリケーション処理回路部ＱＱ１２６のうちの１つまたは複数を含む。他の実施形態では、処理回路は、異なる構成要素および／または構成要素の異なる組み合わせで構成されてもよい。特定の実施形態では、ＷＤＱＱ１１０の処理回路ＱＱ１２０は、ＳＯＣを構成してもよい。いくつかの実施形態では、ＲＦ送受信回路ＱＱ１２２、ベースバンド処理回路ＱＱ１２４、およびアプリケーション処理回路ＱＱ１２６は、別個のチップまたはチップのセット上にあってもよい。代替的な実施形態では、ベースバンド処理回路ＱＱ１２４およびアプリケーション処理回路ＱＱ１２６の一部または全部が、１つのチップまたはチップセットに結合されてもよく、ＲＦ送受信回路６Ｑ１２２は、別個のチップまたはチップセット上にあってもよい。まだ別の代替的な実施形態では、ＲＦ送受信回路ＱＱ１２２およびベースバンド処理回路ＱＱ１２４の一部または全部が同じチップまたはチップセット上にあってもよく、アプリケーション処理回路ＱＱ１２６が別個のチップまたはチップセット上にあってもよい。まだ他の代替的な実施形態では、ＲＦ送受信回路ＱＱ１２２、ベースバンド処理回路ＱＱ１２４、およびアプリケーション処理回路ＱＱ１２６の一部または全部が、同じチップまたはチップセットに結合されていてもよい。いくつかの実施形態では、ＲＦ送受信回路ＱＱ１２２は、インタフェースＱＱ１１４の一部であってもよい。ＲＦ送受信回路ＱＱ１２２は、処理回路ＱＱ１２０のためにＲＦ信号を条件付けしてもよい。
【００９５】
特定の実施形態では、ＷＤによって実行されるものとして本明細書に記載されている機能の一部または全部は、処理回路ＱＱ１２０が、デバイス可読媒体ＱＱ１３０に格納された命令を実行することによって提供されてもよく、これは、特定の実施形態では、コンピュータ可読記憶媒体であってもよい。代替の実施形態では、機能の一部または全部は、ハードワイヤード方式などの別個のまたは個別のデバイス可読記憶媒体に格納された命令を実行することなく、処理回路ＱＱ１２０によって提供されてもよい。それらの特定の実施形態のいずれかにおいて、デバイス可読記憶媒体に格納された命令を実行するか否かにかかわらず、処理回路ＱＱ１２０は、記載された機能を実行するように構成され得る。このような機能性によって提供される利点は、処理回路ＱＱ１２０単独またはＷＤＱＱ１１０の他の構成要素に限定されるものではなく、ＷＤＱＱ１１０全体として、および／またはエンドユーザおよび一般的な無線ネットワークによって享受される。
【００９６】
処理回路ＱＱ１２０は、ＷＤによって実行されるものとして本明細書に記載されている任意の決定、計算、または類似の操作（例えば、特定の取得操作）を実行するように構成されていてもよい。処理回路ＱＱ１２０によって実行されるこれらの操作は、例えば、得られた情報を他の情報に変換することによって処理回路ＱＱ１２０によって得られた情報を処理すること、得られた情報または変換された情報をＷＤＱＱ１１０によって記憶された情報と比較すること、および／または得られた情報または変換された情報に基づいて１つ以上の操作を実行すること、および処理の結果として決定を行うことを含んでいてもよい。
【００９７】
デバイス可読媒体ＱＱ１３０は、コンピュータプログラム、ソフトウェア、ロジック、ルール、コード、テーブルなどの１つまたは複数を含むアプリケーション、および／または処理回路ＱＱ１２０によって実行されることが可能な他の命令を格納するために操作可能であってもよい。デバイス可読媒体ＱＱ１３０は、コンピュータメモリ（例えば、ランダムアクセスメモリ（ＲＡＭ）またはリードオンリーメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、および／または処理回路部ＱＱ１２０によって使用され得る情報、データ、命令を記憶することができる他の任意の揮発性または不揮発性、非一時的デバイス可読および／またはコンピュータ実行可能なメモリデバイスを含む。いくつかの実施形態では、処理回路ＱＱ１２０およびデバイス可読媒体ＱＱ１３０は、統合されていると考えられてもよい。
【００９８】
ユーザインタフェース装置ＱＱ１３２は、人間のユーザがＷＤＱＱ１１０と相互作用することを可能にする構成要素を提供してもよい。そのような相互作用は、視覚的、聴覚的、触覚的などの多くの形態であってもよい。ユーザインタフェース装置ＱＱ１３２は、ユーザへの出力を生成し、ユーザがＷＤＱＱ１１０に入力を提供することを可能にするように操作可能であってもよい。インタラクションの種類は、ＷＤＱＱ１１０に設置されているユーザインタフェース装置ＱＱ１３２の種類に応じて変化してもよい。例えば、ＷＤＱＱ１１０がスマートフォンである場合、インタラクションはタッチスクリーンを介して行われてもよく、ＷＤＱＱ１１０がスマートメータである場合、インタラクションは、使用量（例えば、使用されたガロン数）を提供する画面を介して行われてもよいし、音声によるアラート（例えば、煙が検出された場合）を提供するスピーカを介して行われてもよい。ユーザインタフェース装置ＱＱ１３２は、入力インタフェース、装置及び回路、並びに出力インタフェース、装置及び回路を含んでもよい。ユーザインタフェース装置ＱＱ１３２は、ＷＤＱ１１０への情報の入力を可能にするように構成され、処理回路ＱＱ１２０に接続され、処理回路ＱＱ１２０が入力された情報を処理することを可能にする。ユーザインタフェース装置ＱＱ１３２は、例えば、マイク、近接または他のセンサ、キー／ボタン、タッチディスプレイ、１つまたは複数のカメラ、ＵＳＢポート、または他の入力回路を含んでもよい。また、ユーザインタフェース装置ＱＱ１３２は、処理回路ＱＱ１２０が、ＷＤＱＱ１１０からの情報の出力を可能にするように構成されている。ユーザインタフェース装置ＱＱ１３２は、例えば、スピーカ、ディスプレイ、振動回路、ＵＳＢポート、ヘッドフォンインタフェース、または他の出力回路を含んでいてもよい。ユーザインタフェース装置ＱＱ１３２の１つ以上の入力インタフェース、出力インタフェース、装置、および回路を使用して、ＷＤＱＱ１１０は、エンドユーザおよび／または無線ネットワークと通信して、本明細書に記載された機能の恩恵を受けることができるようにしてもよい。
【００９９】
補助装置ＱＱ１３４は、ＷＤによって一般的に実行されないかもしれないより特定の機能を提供するために操作可能である。これは、様々な目的のために測定を行うための特殊なセンサ、有線通信などの付加的なタイプの通信のためのインタフェースなどで構成されてもよい。補助装置ＱＱ１３４の構成要素の包含およびタイプは、実施形態および／またはシナリオに応じて変化してもよい。
【０１００】
電源ＱＱ１３６は、いくつかの実施形態では、バッテリまたはバッテリパックの形態であってもよい。他のタイプの電源、例えば、外部電源（例えば、電気コンセント）、光起電力デバイスまたはパワーセルなども使用されてもよい。ＷＤＱＱ１１０は、本明細書に記載または示された任意の機能を実行するために電源ＱＱ１３６からの電力を必要とするＷＤＱＱ１１０の様々な部分に電源ＱＱ１３６からの電力を供給するための電源回路ＱＱ１３７をさらに含んでいてもよい。電源回路ＱＱ１３７は、特定の実施形態では、電源管理回路を構成してもよい。電源回路ＱＱ１３７は、追加的に、または代替的に、外部電源から電力を受信するために操作可能であってもよく、その場合、ＷＤＱＱ１１０は、入力回路または電力ケーブルなどのインタフェースを介して、外部電源（例えば、電気コンセント）に接続可能であってもよい。電源回路ＱＱ１３７はまた、特定の実施形態では、外部電源から電源ＱＱ１３６に電力を供給するために動作可能であってもよい。これは、例えば、電源ＱＱ１３６の充電のためであってもよい。電力回路ＱＱ１３７は、電力が供給されるＷＤＱＱ１１０の各構成要素に適した電力にするために、電源ＱＱ１３６からの電力に対して任意のフォーマット、変換、または他の変更を実行してもよい。
【０１０１】
図ＱＱ２は、本明細書に記載される様々な側面に従って、ＵＥの一実施形態を示す。本明細書で使用されるように、ユーザ装置またはＵＥは、必ずしも、当該装置を所有し、および／または操作する人間のユーザの意味でのユーザを有するとは限らない。代わりに、ＵＥは、人間のユーザへの販売、または人間のユーザによる操作を意図しているが、特定の人間のユーザに関連していないかもしれない、または最初は関連していないかもしれない装置（例えば、スマートスプリンクラーコントローラ）を表してもよい。あるいは、ＵＥは、エンドユーザへの販売またはエンドユーザによる操作を意図していないが、ユーザの利益のために関連付けられているかまたは操作されている可能性があるデバイス（例えば、スマート電力メータ）を表してもよい。ＵＥＱＱ２２００は、ＮＢ−ＩｏＴ＿ＵＥ、マシンタイプ通信（ＭＴＣ）ＵＥ、および／または強化型ＭＴＣ（ｅＭＴＣ）ＵＥを含む、第３世代パートナーシッププロジェクト（３ＧＰＰ）によって特定された任意のＵＥであってもよい。図ＱＱ２に示されるように、ＵＥＱＱ２００は、３ＧＰＰのＧＳＭ、ＵＭＴＳ、ＬＴＥ、および／または５Ｇ規格などの第３世代パートナーシッププロジェクト（３ＧＰＰ）によって公布された１つ以上の通信規格に従って通信するように構成されたＷＤの一例である。前述したように、ＷＤおよびＵＥという用語は、交換可能に使用されてもよい。したがって、図ＱＱ２はＵＥであるが、本明細書で論じた構成要素はＷＤにも同様に適用可能であり、またその逆も同様である。
【０１０２】
図ＱＱ２において、ＵＥＱＱ２００は、入出力インタフェースＱＱ２０５、無線周波数（ＲＦ）インタフェースＱＱ２０９、ネットワーク接続インタフェースＱＱ２１１、ランダムアクセスメモリ（ＲＡＭ）ＱＱ２１７、リードオンリーメモリ（ＲＯＭ）ＱＱ２１９を含むメモリＱＱ２１５、および記憶媒体ＱＱ２２１など、通信サブシステムＱＱ２３１、電源ＱＱ２３３、および／または任意の他の構成要素、またはそれらの任意の組み合わせに作動的に結合された処理回路ＱＱ２０１を含む。記憶媒体ＱＱ２２１は、オペレーティングシステムＱＱ２２３、アプリケーションプログラムＱＱ２２５、およびデータＱＱ２２７を含む。他の実施形態では、記憶媒体ＱＱ２２１は、他の同様のタイプの情報を含んでもよい。特定のＵＥは、図ＱＱ２に示す構成要素のすべてを利用してもよいし、構成要素のサブセットのみを利用してもよい。構成要素間の統合のレベルは、あるＵＥから別のＵＥへと変化してもよい。さらに、特定のＵＥは、複数のプロセッサ、メモリ、送受信機、送信機、受信機などの構成要素の複数のインスタンスを含んでもよい。
【０１０３】
図ＱＱ２において、処理回路ＱＱ２０１は、コンピュータ命令およびデータを処理するように構成されてもよい。処理回路部ＱＱ２０１は、メモリ内の機械可読コンピュータプログラムとして格納された機械命令を実行するために作動する任意のシーケンシャルステートマシンを実装するように構成されてもよい、例えば、１つ以上のハードウェア実装ステートマシン（例えば、ディスクリートロジック、ＦＰＧＡ、ＡＳＩＣなど）、適切なファームウェアとともにあるプログラマブルロジック、１つ以上の格納されたプログラム、適切なソフトウェアとともにあるマイクロプロセッサまたはデジタルシグナルプロセッサ（ＤＳＰ）などの汎用プロセッサ、または上記の任意の組み合わせを実装するように構成されてもよい。例えば、処理回路ＱＱ２０１は、２つの中央処理装置（ＣＰＵ）を含んでもよい。データは、コンピュータによる使用に適した形態の情報であってもよい。
【０１０４】
描かれた実施形態では、入力／出力インタフェースＱＱ２０５は、入力装置、出力装置、または入出力装置に通信インタフェースを提供するように構成されてもよい。ＵＥＱＱ２００は、入出力インタフェースＱＱ２０５を介して出力デバイスを使用するように構成されてもよい。出力デバイスは、入力デバイスと同じタイプのインタフェースポートを使用してもよい。例えば、ＵＳＢポートを使用して、ＵＥＱＱ２００との間で入出力を行うように構成されてもよい。出力デバイスは、スピーカ、サウンドカード、ビデオカード、ディスプレイ、モニタ、プリンタ、アクチュエータ、エミッタ、スマートカード、別の出力デバイス、またはそれらの任意の組み合わせであってもよい。ＵＥＱＱ２００は、ユーザがＵＥＱＱ２００に情報を取り込むことを可能にするために、入出力インタフェースＱＱ２０５を介して入力デバイスを使用するように構成されてもよい。入力デバイスは、タッチセンシティブまたはプレゼンスセンシティブディスプレイ、カメラ（例えば、デジタルカメラ、デジタルビデオカメラ、ウェブカメラなど）、マイク、センサ、マウス、トラックボール、方向パッド、トラックパッド、スクロールホイール、スマートカードなどを含んでもよい。プレゼンスセンシティブディスプレイは、ユーザからの入力を感知するための容量性または抵抗性のタッチセンサを含んでもよい。センサは、例えば、加速度センサ、ジャイロスコープ、傾斜センサ、力センサ、地磁気センサ、光学センサ、近接センサ、別の類似センサ、またはそれらの任意の組み合わせであってもよい。例えば、入力デバイスは、加速度センサ、地磁気センサ、デジタルカメラ、マイク、および光学センサであってもよい。
【０１０５】
図ＱＱ２において、ＲＦインタフェースＱＱ２０９は、送信機、受信機、アンテナなどのＲＦ構成要素に通信インタフェースを提供するように構成されてもよい。ネットワーク接続インタフェースＱＱ２１１は、ネットワークＱＱ２４３ａに通信インタフェースを提供するように構成されてもよい。ネットワークＱＱ２４３ａは、ローカルエリアネットワーク（ＬＡＮ）、広域ネットワーク（ＷＡＮ）、コンピュータネットワーク、無線ネットワーク、通信ネットワーク、別の類似ネットワーク、またはそれらの任意の組み合わせなどの有線および／または無線ネットワークを包含してもよい。例えば、ネットワークＱＱ２４３ａは、Ｗｉ−Ｆｉネットワークを構成してもよい。ネットワーク接続インタフェースＱＱ２１１は、イーサネット、ＴＣＰ／ＩＰ、ＳＯＮＥＴ、ＡＴＭなどの１つ以上の通信プロトコルに従って、通信ネットワークを介して１つ以上の他の装置と通信するために使用される受信機および送信機インタフェースを含むように構成されてもよい。ネットワーク接続インタフェースＱＱ２１１は、通信ネットワークリンク（例えば、光、電気、およびそのようなもの）に適した受信機および送信機機能を実装してもよい。送信機機能および受信機機能は、回路部品、ソフトウェアまたはファームウェアを共有してもよく、または代替的に別々に実装されてもよい。
【０１０６】
ＲＡＭＱＱ２１７は、オペレーティングシステム、アプリケーションプログラム、デバイスドライバなどのソフトウェアプログラムの実行中にデータまたはコンピュータ命令のストレージまたはキャッシングを提供するために、バスＱＱ２０２を介して処理回路ＱＱ２０１にインタフェースするように構成されていてもよい。ＲＯＭＱＱ２１９は、コンピュータ命令またはデータを処理回路ＱＱ２０１に提供するように構成されていてもよい。例えば、ＲＯＭＱＱ２１９は、不揮発性メモリに記憶されている基本的な入出力（Ｉ／Ｏ）、起動、またはキーボードからのキーストロークの受信などの基本的なシステム機能のための不変の低レベルのシステムコードまたはデータを記憶するように構成されていてもよい。記憶媒体ＱＱ２２１は、ＲＡＭ、ＲＯＭ、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、磁気ディスク、光ディスク、フロッピーディスク、ハードディスク、リムーバブルカートリッジ、またはフラッシュドライブなどのメモリを含むように構成されてもよい。一例では、記憶媒体ＱＱ２２１は、オペレーティングシステムＱＱ２２３、Ｗｅｂブラウザアプリケーション、ウィジェットまたはガジェットエンジンまたは別のアプリケーションなどのアプリケーションプログラムＱＱ２２５、およびデータファイルＱＱ２２７を含むように構成されてもよい。記憶媒体ＱＱ２２１は、ＵＥＱＱ２００が使用するために、様々なオペレーティングシステムまたはオペレーティングシステムの組み合わせのうちの任意のものを記憶してもよい。
【０１０７】
記憶媒体ＱＱ２２１は、独立ディスクの冗長アレイ（ＲＡＩＤ）、フロッピーディスクドライブ、フラッシュメモリ、ＵＳＢフラッシュドライブ、外付けハードディスクドライブ、サムドライブ、ペンドライブ、キードライブ、高密度デジタル多目的ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外付けミニデュアルインラインメモリモジュール（ＤＩＭＭ）、同期ダイナミックランダムアクセスメモリ（ＳＤＲＡＭ）、外付けマイクロＤＩＭＭ＿ＳＤＲＡＭ、加入者ＩＤモジュールまたはリムーバブルユーザＩＤ（ＳＩＭ／ＲＵＩＭ）モジュールなどのスマートカードメモリ、他のメモリなどの多数の物理ドライブユニット、またはそれらの任意の組み合わせを含むように構成されていてもよい。記憶媒体ＱＱ２２１は、ＵＥＱＱ２００が、一時的または非一時的記憶媒体に記憶されたコンピュータ実行可能な命令、アプリケーションプログラムまたはそのようなものにアクセスして、データをオフロードすること、またはデータをアップロードすることを可能にしてもよい。通信システムを利用するものなどの製造品は、記憶媒体ＱＱ２２１に当接可能に具現化されてもよく、これはデバイス可読媒体を構成してもよい。
【０１０８】
図ＱＱ２において、処理回路ＱＱ２０１は、通信サブシステムＱＱ２３１を用いてネットワークＱＱ２４３ｂと通信するように構成されてもよい。ネットワークＱＱ２４３ａおよびネットワークＱＱ２４３ｂは、同じネットワークまたはネットワークであってもよいし、異なるネットワークまたはネットワークであってもよい。通信サブシステムＱＱ２３１は、ネットワークＱＱ２４３ｂと通信するために使用される１つまたは複数の送受信機を含むように構成されてもよい。例えば、通信サブシステムＱＱ２３１は、ＩＥＥＥ８０２．ＱＱ２、ＣＤＭＡ、ＷＣＤＭＡ、ＧＳＭ、ＬＴＥ、ＵＴＲＡＮ、ＷｉＭａｘなどの１つ以上の通信プロトコルに従って、別のＷＤ、ＵＥ、または無線アクセスネットワーク（ＲＡＮ）の基地局などの無線通信が可能な別のデバイスの１つ以上のリモート送受信機と通信するために使用される１つ以上の送受信機を含むように構成されてもよい。各送受信機は、送信機ＱＱ２３３および／または受信機ＱＱ２３５を含み、それぞれＲＡＮリンクに適した送信機または受信機機能（例えば、周波数割り当てなど）を実装することができる。さらに、各送受信機の送信機ＱＱ２３３および受信機ＱＱ２３５は、回路部品、ソフトウェアまたはファームウェアを共有してもよく、または代替的に別々に実装されてもよい。
【０１０９】
図示された実施形態では、通信サブシステムＱＱ２３１の通信機能は、データ通信、音声通信、マルチメディア通信、Ｂｌｕｅｔｏｏｔｈなどの近距離通信、近距離通信、全地球測位システム（ＧＰＳ）を使用して位置を決定するなどの位置ベースの通信、別の類似の通信機能、またはそれらの任意の組み合わせを含んでもよい。例えば、通信サブシステムＱＱ２３１は、セルラー通信、Ｗｉ−Ｆｉ通信、Ｂｌｕｅｔｏｏｔｈ通信、およびＧＰＳ通信を包含してもよい。ネットワークＱＱ２４３ｂは、ローカルエリアネットワーク（ＬＡＮ）、広域ネットワーク（ＷＡＮ）、コンピュータネットワーク、無線ネットワーク、通信ネットワーク、別の類似ネットワーク、またはそれらの任意の組み合わせなどの有線および／または無線ネットワークを包含してもよい。例えば、ネットワークＱＱ２４３ｂは、セルラーネットワーク、Ｗｉ−Ｆｉネットワーク、および／またはニアフィールドネットワークであってもよい。電源ＱＱ２１３は、ＵＥＱＱ２００の構成要素に交流（ＡＣ）または直流（ＤＣ）電力を供給するように構成されていてもよい。
【０１１０】
本明細書に記載された特徴、利点、および／または機能は、ＵＥＱＱ２００の構成要素のいずれかに実装されてもよいし、ＵＥＱＱ２００の複数の構成要素にまたがって分割されてもよい。さらに、本明細書に記載された特徴、利点、および／または機能は、ハードウェア、ソフトウェア、またはファームウェアの任意の組み合わせで実装されてもよい。一例では、通信サブシステムＱＱ２３１は、本明細書に記載された構成要素のいずれかを含むように構成されてもよい。さらに、処理回路ＱＱ２０１は、バスＱＱ２０２を介してそのような構成要素のいずれかと通信するように構成されてもよい。別の例では、そのような構成要素のいずれかは、処理回路ＱＱ２０１によって実行されると、本明細書に記載された対応する機能を実行する、メモリに格納されたプログラム命令によって表されてもよい。別の例では、そのような構成要素のいずれかの機能は、処理回路ＱＱ２０１と通信サブシステムＱＱ２３１との間で分割されてもよい。別の例では、そのような構成要素のいずれかの非計算集約的な機能は、ソフトウェアまたはファームウェアで実装されてもよく、計算集約的な機能は、ハードウェアで実装されてもよい。
【０１１１】
図ＱＱ３は、いくつかの実施形態によって実装された機能が仮想化されてもよい仮想化環境ＱＱ３００を例示する概略ブロック図である。本明細書では、仮想化とは、ハードウェアプラットフォーム、ストレージデバイス、およびネットワークリソースの仮想化を含むことができる装置またはデバイスの仮想バージョンを作成することを意味する。本明細書で使用されるように、仮想化は、ノード（例えば、仮想化された基地局または仮想化された無線アクセスノード）またはデバイス（例えば、ＵＥ、無線デバイス、または任意の他のタイプの通信デバイス）またはその構成要素に適用することができ、機能の少なくとも一部が１つ以上の仮想構成要素（例えば、１つ以上のネットワーク内の１つ以上の物理的処理ノード上で実行される１つ以上のアプリケーション、構成要素、機能、仮想マシンまたはコンテナを介して）として実装される実施形態に関連する。
【０１１２】
いくつかの実施形態では、本明細書に記載された機能の一部または全部は、ハードウェアノードＱＱ３３０のうちの１つまたは複数のハードウェアノードＱＱ３３０によってホストされた１つまたは複数の仮想環境ＱＱ３００に実装された１つまたは複数の仮想マシンによって実行される仮想構成要素として実装されてもよい。さらに、仮想ノードが無線アクセスノードではないか、または無線接続を必要としない実施形態（例えば、コアネットワークノード）では、ネットワークノードは完全に仮想化されてもよい。
【０１１３】
機能は、本明細書に開示されたいくつかの実施形態の特徴、機能、および／または利点のいくつかを実装するために作動する１つ以上のアプリケーションＱＱ３２０（これは、代替的に、ソフトウェアインスタンス、仮想アプライアンス、ネットワーク機能、仮想ノード、仮想ネットワーク機能などと呼ばれてもよい）によって実装されてもよい。アプリケーションＱＱ３２０は、処理回路ＱＱ３６０とメモリＱＱ３９０を含むハードウェアＱＱ３３０を提供する仮想化環境ＱＱ３００で実行される。メモリＱＱ３９０は、処理回路ＱＱ３６０によって実行可能な命令ＱＱ３９５を含み、それにより、アプリケーションＱＱ３２０は、本明細書に開示されている機能、利点、および／または機能の１つ以上を提供するために動作可能である。
【０１１４】
仮想化環境ＱＱ３００は、１つ以上のプロセッサまたは処理回路ＱＱ３６０のセットを構成する汎用または特殊目的ネットワークハードウェアデバイスＱＱ３３０で構成されており、これは、市販の（ＣＯＴＳ）プロセッサ、特定用途向け集積回路（ＡＳＩＣ）、またはデジタルまたはアナログハードウェア構成要素または特殊目的プロセッサを含む処理回路の任意の他のタイプであってもよい。各ハードウェアデバイスは、命令ＱＱ３９５または処理回路ＱＱ３６０によって実行されるソフトウェアを一時的に記憶するための非永続メモリであるメモリＱＱ３９０−１を構成してもよい。各ハードウェアデバイスは、物理ネットワークインタフェースＱＱ３８０を含むネットワークインタフェースカードとしても知られる１つ以上のネットワークインタフェースコントローラ（ＮＩＣ）ＱＱ３７０を含んでもよい。各ハードウェアデバイスはまた、そこに格納されたソフトウェアＱＱ３９５および／または処理回路ＱＱ３６０によって実行可能な命令を有する非一時的、永続性、機械可読記憶媒体ＱＱ３９０−２を含んでもよい。ソフトウェアＱＱ３９５は、１つまたは複数の仮想化レイヤＱＱ３５０（ハイパーバイザとも呼ばれる）をインスタンス化するためのソフトウェア、仮想マシンＱＱ３４０を実行するためのソフトウェア、および本明細書に記載されたいくつかの実施形態に関連して記載された機能、特徴および／または利点を実行することを可能にするソフトウェアを含む任意のタイプのソフトウェアを含むことができる。
【０１１５】
仮想マシンＱＱ３４０は、仮想処理、仮想メモリ、仮想ネットワークまたはインタフェース、および仮想ストレージからなり、対応する仮想化レイヤＱＱ３５０またはハイパーバイザによって実行されてもよい。仮想アプライアンスＱＱ３２０のインスタンスの異なる実施形態は、仮想マシンＱＱ３４０の１つ以上に実装されてもよい。
【０１１６】
動作中、処理回路ＱＱ３６０は、ハイパーバイザまたは仮想化レイヤＱＱ３５０をインスタンス化するためのソフトウェアＱＱ３９５を実行し、これは、仮想マシンモニタ（ＶＭＭ）と呼ばれることもある。仮想化レイヤＱＱ３５０は、仮想マシンＱＱ３４０にネットワークハードウェアのように見える仮想オペレーティングプラットフォームを提示してもよい。
【０１１７】
図ＱＱ３に示すように、ハードウェアＱＱ３３０は、汎用または特定の構成要素を有するスタンドアロンネットワークノードであってもよい。ハードウェアＱＱ３３０は、アンテナＱＱ３２５を構成してもよく、仮想化を介していくつかの機能を実装してもよい。あるいは、ハードウェアＱＱ３３０は、多くのハードウェアノードが一緒に動作し、管理およびオーケストレーション（ＭＡＮＯ）ＱＱ３１００を介して管理され、とりわけアプリケーションＱＱ３２０のライフサイクル管理を監督する、ハードウェアのより大きなクラスタ（例えば、データセンターまたは顧客宅内装置（ＣＰＥ）内など）の一部であってもよい。
【０１１８】
ハードウェアの仮想化は、一部の文脈ではネットワーク機能仮想化（ＮＦＶ）と呼ばれている。ＮＦＶは、多くのネットワーク機器の種類を、業界標準の大容量サーバハードウェア、物理スイッチ、および物理ストレージに統合するために使用されてもよく、データセンターに配置することができ、顧客宅内装置に配置することができる。
【０１１９】
ＮＦＶの文脈では、仮想マシンＱＱ３４０は、仮想化されていない物理マシン上で実行されているかのようにプログラムを実行する物理マシンのソフトウェア実装であってもよい。仮想マシンＱＱ３４０のそれぞれ、およびその仮想マシンを実行するハードウェアＱＱ３３０のその部分は、その仮想マシン専用のハードウェアおよび／またはその仮想マシンが仮想マシンＱＱ３４０の他の人と共有するハードウェアであってもよく、別個の仮想ネットワーク要素（ＶＮＥ）を形成する。
【０１２０】
またＮＦＶの文脈では、仮想ネットワーク機能（ＶＮＦ）は、ハードウェアネットワークインフラストラクチャＱＱ３３０の上にある１つまたは複数の仮想マシンＱＱ３４０で実行される特定のネットワーク機能を処理する責任があり、図ＱＱ３のアプリケーションＱＱ３２０に対応している。
【０１２１】
いくつかの実施形態では、それぞれが１つ以上の送信機ＱＱ３２２０および１つ以上の受信機ＱＱ３２１０を含む１つ以上の無線ユニットＱＱ３２００は、１つ以上のアンテナＱＱ３２２５に結合されてもよい。無線ユニットＱＱ３２００は、１つ以上の適切なネットワークインタフェースを介してハードウェアノードＱＱ３３０と直接通信してもよく、無線アクセスノードまたは基地局などの無線機能を有する仮想ノードを提供するために、仮想構成要素と組み合わせて使用してもよい。
【０１２２】
いくつかの実施形態では、いくつかのシグナリングは、ハードウェアノードＱＱ３３０と無線ユニットＱＱ３２００との間の通信に代替的に使用されてもよい制御システムＱＱ３２３０の使用によって行われ得る。
【０１２３】
図ＱＱ４は、いくつかの実施形態に従った、中間ネットワークを介してホストコンピュータに接続された通信ネットワークを示す。特に、図ＱＱ４を参照して、ある実施形態に従って、通信システムは、無線アクセスネットワークなどのアクセスネットワークＱＱ４１１とコアネットワークＱＱ４１４とを含む３ＧＰＰ型セルラーネットワークなどの通信ネットワークＱＱ４１０を含む。アクセスネットワークＱＱ４１１は、複数の基地局ＱＱ４１２ａ、ＱＱ４１２ｂ、ＱＱ４１２ｃ、例えばＮＢ、ｅＮＢ、ｇＮＢ、または他のタイプの無線アクセスポイントからなり、それぞれが対応するカバレッジエリアＱＱ４１３ａ、ＱＱ４１３ｂ、ＱＱ４１３ｃを定義する。各基地局ＱＱ４１２ａ、ＱＱ４１２ｂ、ＱＱ４１２ｃは、有線または無線接続ＱＱ４１５を介してコアネットワークＱＱ４１４に接続可能である。カバレッジエリアＱＱ４１３ｃに位置する第１のＵＥＱＱ４９１は、対応する基地局ＱＱ４１２ｃに無線で接続するか、またはページングされるように構成されている。カバレッジエリアＱＱ４１３ａにある第２のＵＥＱＱ４９２は、対応する基地局ＱＱ４１２ａに無線で接続可能に構成されている。複数のＵＥＱＱ４９１、ＱＱ４９２がこの例で図示されているが、開示された実施形態は、単独のＵＥがカバレッジエリア内にある状況、または単独のＵＥが対応する基地局ＱＱ４１２に接続している状況にも同様に適用可能である。
【０１２４】
通信ネットワークＱＱ４１０は、それ自体がホストコンピュータＱＱ４３０に接続されており、このホストコンピュータＱＱ４３０は、スタンドアロンサーバ、クラウド実装サーバ、分散サーバ、またはサーバファーム内の処理リソースとしてのハードウェアおよび／またはソフトウェアで具現化されてもよい。ホストコンピュータＱＱ４３０は、サービスプロバイダの所有または制御下にあってもよいし、サービスプロバイダによって、またはサービスプロバイダに代わって運営されてもよい。通信ネットワークＱＱ４１０とホストコンピュータＱＱ４３０との間の接続ＱＱ４２１およびＱＱ４２２は、コアネットワークＱＱ４１４からホストコンピュータＱＱ４３０に直接延びてもよいし、オプションの中間ネットワークＱＱ４２０を経由してもよい。中間ネットワークＱＱ４２０は、パブリックネットワーク、プライベートネットワーク、またはホストネットワークのうちの１つまたは２つ以上の組み合わせであってもよく、中間ネットワークＱＱ４２０は、もしあれば、バックボーンネットワークまたはインターネットであってもよく、特に、中間ネットワークＱＱ４２０は、２つ以上のサブネットワーク（図示せず）から構成されてもよい。
【０１２５】
図ＱＱ４の通信システムは、全体として、接続されたＵＥＱＱ４９１、ＱＱ４９２とホストコンピュータＱＱ４３０との間の接続性を可能にする。この接続性は、オーバーザトップ（ＯＴＴ）接続ＱＱ４５０として記述されてもよい。ホストコンピュータＱＱ４３０および接続されたＵＥＱＱ４９１、ＱＱ４９２は、アクセスネットワークＱＱ４１１、コアネットワークＱＱ４１４、任意の中間ネットワークＱＱ４２０、および可能性のある更なるインフラストラクチャ（図示せず）を中間体として使用して、ＯＴＴ接続ＱＱ４５０を介してデータおよび／またはシグナリングを通信するように構成されている。ＯＴＴ接続ＱＱ４５０は、ＯＴＴ接続ＱＱ４５０が通過する参加通信装置がアップリンク通信およびダウンリンク通信のルーティングを知らないという意味で透過的であってもよい。例えば、基地局ＱＱ４１２は、接続されたＵＥＱＱ４９１に転送（例えば、ハンドオーバー）されるべきホストコンピュータＱＱ４３０から発信されるデータを有する着信ダウンリンク通信の過去のルーティングについて知らされていないかもしれないし、知らされる必要がないかもしれない。同様に、基地局ＱＱ４１２は、ＵＥＱＱ４９１からホストコンピュータＱＱ４３０に向かって発信するアップリンク通信の将来のルーティングを意識する必要はない。
【０１２６】
前の段落で論じたＵＥ、基地局、およびホストコンピュータの、一実施形態に従った例示的な実施形態が、次に、図ＱＱ５を参照して説明される。図ＱＱ５は、いくつかの実施形態に従って、部分的に無線接続を介してユーザ装置と基地局を介して通信するホストコンピュータを示している。通信システムＱＱ５００では、ホストコンピュータＱＱ５１０は、通信システムＱＱ５００の別の通信装置のインタフェースとの有線または無線接続を設定し、維持するように構成された通信インタフェースＱＱ５１６を含むハードウェアＱＱ５１５で構成されている。ホストコンピュータＱＱ５１０は、さらに、ストレージおよび／または処理能力を有していてもよい処理回路ＱＱ５１８を構成する。特に、処理回路ＱＱ５１８は、命令を実行するように適合された１つ以上のプログラマブルプロセッサ、特定用途向け集積回路、フィールドプログラマブルゲートアレイ、またはこれらの組み合わせ（図示せず）で構成されていてもよい。ホストコンピュータＱＱ５１０は、さらに、ホストコンピュータＱＱ５１０に格納されているか、またはホストコンピュータＱＱ５１０によってアクセス可能であり、処理回路ＱＱ５１８によって実行可能なソフトウェアＱＱ５１１を構成する。ソフトウェアＱＱ５１１は、ホストアプリケーションＱＱ５１２を含む。ホストアプリケーションＱＱ５１２は、ＵＥＱＱ５３０とホストコンピュータＱＱ５１０で終端するＯＴＴ接続ＱＱ５５０を介して接続するＵＥＱＱ５３０などのリモートユーザにサービスを提供するために操作可能であってもよい。リモートユーザにサービスを提供する際に、ホストアプリケーションＱＱ５１２は、ＯＴＴ接続ＱＱ５５０を使用して送信されるユーザデータを提供してもよい。
【０１２７】
通信システムＱＱ５００は、さらに、通信システムに提供される基地局ＱＱ５２０を含み、ホストコンピュータＱＱ５１０と、ＵＥＱＱ５３０と通信することを可能にするハードウェアＱＱ５２５を構成する。ハードウェアＱＱ５２５は、通信システムＱＱ５００の別の通信装置のインタフェースとの有線または無線接続を設定して維持するための通信インタフェースＱＱ５２６と、基地局ＱＱ５２０によって提供されるカバレッジエリア（図示せず）内に位置するＵＥＱＱ５３０との少なくとも無線接続ＱＱ５７０を設定して維持するための無線インタフェースＱＱ５２７とを含んでもよい。通信インタフェースＱＱ５２６は、ホストコンピュータＱＱ５１０との接続ＱＱ５６０を容易にするように構成されてもよい。接続ＱＱ５６０は、直接であってもよいし、電気通信システムのコアネットワーク（図示せず）を通過してもよく、および／または電気通信システムの外部の１つ以上の中間ネットワークを通過してもよい。示された実施形態では、基地局ＱＱ５２０のハードウェアＱＱ５２５は、処理回路ＱＱ５２８をさらに含み、これは、１つ以上のプログラマブルプロセッサ、特定用途向け集積回路、フィールドプログラマブルゲートアレイ、または命令を実行するように適合されたこれらの組み合わせ（図示せず）から構成されていてもよい。基地局ＱＱ５２０はさらに、内部的に格納されたソフトウェアＱＱ５２１、または外部接続を介してアクセス可能なソフトウェアＱＱ５２１を有する。
【０１２８】
通信システムＱＱ５００はさらに、すでに参照されているＵＥＱＱ５３０を含む。そのハードウェアＱＱ５３５は、ＵＥＱＱ５３０が現在位置しているカバレッジエリアにサービスを提供する基地局との無線接続ＱＱ５７０を設定し、維持するように構成された無線インタフェースＱＱ５３７を含んでもよい。ＵＥＱＱ５３０のハードウェアＱＱ５３５は、さらに、命令を実行するように適合された１つ以上のプログラマブルプロセッサ、特定用途向け集積回路、フィールドプログラマブルゲートアレイ、またはこれらの組み合わせ（図示せず）から構成されてもよい処理回路ＱＱ５３８を含む。ＵＥＱＱ５３０はさらに、ソフトウェアＱＱ５３１を含み、このソフトウェアＱＱ５３１は、ＵＥＱＱ５３０内に記憶されているか、またはＵＥＱＱ５３０によってアクセス可能であり、処理回路ＱＱ５３８によって実行可能である。ソフトウェアＱＱ５３１は、クライアントアプリケーションＱＱ５３２を含む。クライアントアプリケーションＱＱ５３２は、ホストコンピュータＱＱ５１０の支援を受けて、ＵＥＱＱ５３０を介して人間または非人間のユーザにサービスを提供するために操作可能であってもよい。ホストコンピュータＱＱ５１０において、実行中のホストアプリケーションＱＱ５１２は、ＵＥＱＱ５３０およびホストコンピュータＱＱ５１０で終端するＯＴＴ接続ＱＱ５５０を介して、実行中のクライアントアプリケーションＱＱ５３２と通信してもよい。ユーザにサービスを提供する際に、クライアントアプリケーションＱＱ５３２は、ホストアプリケーションＱＱ５１２から要求データを受信し、要求データに応答してユーザデータを提供してもよい。ＯＴＴ接続ＱＱ５５０は、要求データとユーザデータの両方を転送してもよい。クライアントアプリケーションＱＱ５３２は、提供するユーザデータを生成するためにユーザと対話してもよい。
【０１２９】
図ＱＱ５に図示されたホストコンピュータＱＱ５１０、基地局ＱＱ５２０およびＵＥＱＱ５３０は、ホストコンピュータＱＱ４３０、基地局ＱＱ４１２ａ、ＱＱ４１２ｂ、ＱＱ４１２ｃのうちの１つ、および図ＱＱ４のＵＥＱＱ４９１、ＱＱ４９２のうちの１つとそれぞれ類似または同一であってもよいことに留意されたい。すなわち、これらのエンティティの内部動作は、図ＱＱ５に示すようなものであってもよく、独立して、周囲のネットワークトポロジーは、図ＱＱ４のものであってもよい。
【０１３０】
図ＱＱ５において、ＯＴＴ接続ＱＱ５５０は、ホストコンピュータＱＱ５１０とベースステーションＱＱ５２０を介したＵＥＱＱ５３０との間の通信を、いかなる中間装置およびこれらの装置を介したメッセージの正確なルーティングについても明示的に参照することなく、抽象的に描かれている。ネットワークインフラストラクチャは、ルーティングを決定してもよく、それは、ＵＥＱＱ５３０から、またはホストコンピュータＱＱ５１０を操作するサービスプロバイダから、またはその両方から非表示にするように構成されてもよい。ＯＴＴ接続ＱＱ５５０がアクティブである間、ネットワークインフラストラクチャは、（例えば、負荷分散の考慮またはネットワークの再構成に基づいて）ルーティングを動的に変更する決定をさらに行ってもよい。
【０１３１】
ＵＥのＱＱ５３０と基地局のＱＱ５２０との間の無線接続ＱＱ５７０は、本開示全体に記載された実施形態の教示に従っている。様々な実施形態のうちの１つ以上は、無線接続ＱＱ５７０が最後のセグメントを形成するＯＴＴ接続ＱＱ５５０を使用してＵＥＱＱ５３０に提供されるＯＴＴサービスのパフォーマンスを向上させる。より詳細には、これらの実施形態の教示は、ＬＴＥにおいてＲＲＣ状態遷移を未定義にする際のＵＥ動作の予測可能性を改善し、それにより、信頼性の向上、必要な回復シグナリングの減少、消費電力の最小化、およびそれ故にバッテリ寿命の延長などの利点を提供してもよい。
【０１３２】
測定手順は、データレート、待ち時間、および１つまたは複数の実施形態が改善するその他の要因を監視する目的で提供されてもよい。測定結果の変動に応答して、ホストコンピュータＱＱ５１０とＵＥＱＱ５３０との間のＯＴＴ接続ＱＱ５５０を再構成するためのオプションのネットワーク機能がさらに設けられていてもよい。測定手順および／またはＯＴＴ接続ＱＱ５５０を再構成するためのネットワーク機能は、ホストコンピュータＱＱ５１０のソフトウェアＱＱ５１１およびハードウェアＱＱ５１５に実装されてもよいし、ＵＥＱＱ５３０のソフトウェアＱＱ５３１およびハードウェアＱＱ５３５に実装されてもよいし、またはその両方に実装されてもよい。実施形態では、センサ（図示せず）は、ＯＴＴ接続ＱＱ５５０が通過する通信デバイスに配置されてもよいし、通信デバイスと関連して配置されてもよく、センサは、上述の例示された監視量の値を供給することによって測定手順に参加してもよいし、ソフトウェアＱＱ５１１、ＱＱ５３１が監視量を計算または推定することができる他の物理量の値を供給することによって測定手順に参加してもよい。ＯＴＴ接続ＱＱ５５０の再構成は、メッセージフォーマット、再送設定、好ましいルーティングなどを含んでもよく、再構成は基地局ＱＱ５２０に影響を与える必要はなく、基地局ＱＱ５２０には知られていないか、または感知できないものであってもよい。そのような手順および機能性は、当技術分野で知られており、実践されているかもしれない。特定の実施形態では、測定は、スループット、伝搬時間、遅延などのホストコンピュータＱＱ５１０の測定を容易にする独自のＵＥシグナリングを含んでもよい。測定は、ソフトウェアＱＱ５１１およびＱＱ５３１が、伝搬時間、エラーなどを監視しながら、ＯＴＴ接続ＱＱ５５０を使用して、メッセージ、特に空のメッセージまたは「ダミー」メッセージを送信させるように実装されてもよい。
【０１３３】
図ＱＱ６は、一実施形態に従った通信システムに実装された方法を示すフローチャートである。通信システムは、ホストコンピュータ、基地局、および図ＱＱ４および図ＱＱ５を参照して説明したものであってもよいＵＥを含む。本開示を簡単にするために、図ＱＱ６を参照する図面のみが本項に含まれる。ステップＱＱ６１０では、ホストコンピュータは、ユーザデータを提供する。ステップＱＱ６１０のサブステップＱＱ６１１（これはオプションであってもよい）では、ホストコンピュータは、ホストアプリケーションを実行することにより、ユーザデータを提供する。ステップＱＱ６２０では、ホストコンピュータは、ＵＥにユーザデータを運ぶ伝送を開始する。ステップＱＱ６３０（これはオプションであってもよい）では、基地局は、本開示全体に記載された実施形態の教示に従って、ホストコンピュータが開始した伝送で運ばれたユーザデータをＵＥに送信する。ステップＱＱ６４０（これもオプションであってもよい）では、ＵＥは、ホストコンピュータによって実行されたホストアプリケーションに関連付けられたクライアントアプリケーションを実行する。
【０１３４】
図ＱＱ７は、一実施形態に従った通信システムに実装された方法を示すフローチャートである。通信システムは、ホストコンピュータ、基地局、および図ＱＱ４および図ＱＱ５を参照して説明したものであってもよいＵＥを含む。本開示を簡単にするために、図ＱＱ７を参照した図面のみが本項に含まれる。方法のステップＱＱ７１０では、ホストコンピュータは、ユーザデータを提供する。任意のサブステップ（図示せず）では、ホストコンピュータは、ホストアプリケーションを実行することにより、ユーザデータを提供する。ステップＱＱ７２０では、ホストコンピュータは、ＵＥにユーザデータを運ぶ伝送を開始する。伝送は、本開示全体に記載された実施形態の教示に従って、基地局を経由してもよい。ステップＱＱ７３０（これはオプションであってもよい）では、ＵＥは、送信で運ばれたユーザデータを受信する。
【０１３５】
図ＱＱ８は、一実施形態に従った通信システムに実装された方法を示すフローチャートである。通信システムは、ホストコンピュータ、基地局、および図ＱＱ４および図ＱＱ５を参照して説明したものであってもよいＵＥを含む。本開示を簡単にするために、図ＱＱ８を参照した図面のみが本項に含まれる。ステップＱＱ８１０（これはオプションであってもよい）において、ＵＥは、ホストコンピュータによって提供される入力データを受信する。さらに、または代替的に、ステップＱＱ８２０において、ＵＥは、ユーザデータを提供する。ステップＱＱ８２０のサブステップＱＱ８２１（これはオプションであってもよい）では、ＵＥは、クライアントアプリケーションを実行することにより、ユーザデータを提供する。ステップＱＱ８１０のサブステップＱＱ８１１（これはオプションであってもよい）では、ＵＥは、ホストコンピュータによって提供された受信入力データに反応してユーザデータを提供するクライアントアプリケーションを実行する。ユーザデータを提供する際に、実行されるクライアントアプリケーションは、ユーザから受信したユーザ入力をさらに考慮してもよい。ユーザデータが提供された特定の方法にかかわらず、ＵＥは、サブステップＱＱ８３０（これはオプションであってもよい）において、ホストコンピュータへのユーザデータの送信を開始する。方法のステップＱＱ８４０において、ホストコンピュータは、本開示全体に記載された実施形態の教示に従って、ＵＥから送信されたユーザデータを受信する。
【０１３６】
図ＱＱ９は、一実施形態に従って、通信システムに実装された方法を示すフローチャートである。通信システムは、ホストコンピュータ、基地局、および図ＱＱ４および図ＱＱ５を参照して説明したものであってもよいＵＥを含む。本開示を簡単にするために、図ＱＱ９を参照した図面のみが本項に含まれる。ステップＱＱ９１０（これはオプションであってもよい）では、本開示全体に記載された実施形態の教示に従って、基地局はＵＥからユーザデータを受信する。ステップＱＱ９２０（これはオプションであってもよい）では、基地局は、受信したユーザデータのホストコンピュータへの送信を開始する。ステップＱＱ９３０（これはオプションであってもよい）では、ホストコンピュータは、基地局によって開始された送信で運ばれたユーザデータを受信する。
【０１３７】
本明細書に開示される任意の適切なステップ、方法、特徴、機能、または利点は、１つまたは複数の仮想装置の１つまたは複数の機能ユニットまたはモジュールを介して実行されてもよい。各仮想装置は、これらの機能ユニットの数を含んでいてもよい。これらの機能ユニットは、１つ以上のマイクロプロセッサまたはマイクロコントローラ、およびデジタル信号プロセッサ（ＤＳＰ）、特殊目的デジタルロジックなどを含む他のデジタルハードウェアを含んでもよい処理回路を介して実装されてもよい。処理回路は、メモリに記憶されたプログラムコードを実行するように構成されていてもよく、これは、リードオンリーメモリ（ＲＯＭ）、ランダムアクセスメモリ（ＲＡＭ）、キャッシュメモリ、フラッシュメモリ装置、光記憶装置などの１つまたは複数のタイプのメモリを含んでいてもよい。メモリに記憶されたプログラムコードは、本明細書に記載された技術のうちの１つ以上の技術を実行するための命令と同様に、１つ以上の電気通信プロトコルおよび／またはデータ通信プロトコルを実行するためのプログラム命令を含む。いくつかの実施形態では、処理回路は、本開示の１つ以上の実施形態に従って、それぞれの機能ユニットに対応する機能を実行させるために使用されてもよい。
【０１３８】
一般的に、本明細書で使用されるすべての用語は、異なる意味が明確に与えられている場合および／またはそれが使用される文脈から暗示されている場合を除き、関連する技術分野における通常の意味に従って解釈されるべきである。１つ（ａ／ａｎ／ｔｈｅ）の要素、装置、構成要素、手段、ステップなどへのすべての言及は、明示的に別段の記載がない限り、要素、装置、構成要素、手段、ステップなどの少なくとも１つのインスタンスを参照していると公然と解釈されるべきである。本明細書に開示された任意の方法のステップは、ステップが他のステップに続くか先行するように明示的に記述されている場合、および／またはステップが他のステップに続くか先行しなければならないことが暗黙的に記述されている場合を除き、開示された正確な順序で実行されなければならないわけではない。本明細書に開示された実施形態のいずれかの特徴は、適切な場合はどこでも、他の実施形態に適用することができる。同様に、本明細書に開示された実施形態のいずれかの利点は、他の実施形態のいずれかに適用されてもよく、またその逆も同様である。封入された実施形態の他の目的、特徴および利点は、本明細書の記載から明らかになるであろう。
【０１３９】
用語ユニットは、エレクトロニクス、電気デバイスおよび／または電子デバイスの分野で従来の意味を有してもよく、例えば、電気および／または電子回路、デバイス、モジュール、プロセッサ、メモリ、論理ソリッドステートおよび／またはディスクリートデバイス、それぞれのタスク、手順、計算、出力、および／または表示機能を実行するためのコンピュータプログラムまたは命令など、本明細書に記載されているようなものを含んでもよい。
【０１４０】
本明細書で企図される実施形態のいくつかは、添付の図面を参照してより詳細に説明される。しかしながら、他の実施形態は、本明細書に開示された主題の範囲内に含まれる。開示された主題は、本明細書に記載された実施形態のみに限定されると解釈されるべきではなく、むしろ、これらの実施形態は、当業者に主題の範囲を伝えるために例示の形で提供される。
【０１４１】
以下の特定の実施形態は、請求項を参照して、オーバーザトップの実施形態における本発明の実施形態を例示する。
【０１４２】
グループＡの実施形態は、請求項１〜１１および実施形態ＡＡを含む：
ＡＡ．  請求項１〜１１の何れか１項に記載の方法であって、
ユーザデータを提供することと、
基地局への送信を介してユーザデータをホストコンピュータに転送することと、
をさらに含む。
【０１４３】
グループＢの実施形態は、請求項２３〜３１および実施形態ＢＢを含む：
ＢＢ．  請求項２３〜３１の何れか１項に記載の方法であって、
ユーザデータを取得することと、
ユーザデータをホストコンピュータまたは無線デバイスに転送することと、
をさらに含む。
【０１４４】
グループＣの実施形態：
Ｃ１．  グループＡの何れかの実施形態の何れかのステップを実行するように構成された無線デバイス。
【０１４５】
Ｃ２．  無線デバイスであって、
グループＡの何れかの実施形態の何れかのステップを実行するように構成された処理回路と、
無線デバイスに電力を供給するように構成された電源回路と、
を含む。
【０１４６】
Ｃ３．  無線デバイスであって、
処理回路とメモリとを含み、メモリは処理回路によって実行可能な命令を含み、それにより、無線デバイスはグループＡの何れかの実施形態の何れかのステップを実行するように構成される。
【０１４７】
Ｃ４．  ユーザ装置（ＵＥ）であって、
無線信号を送信および受信するように構成されたアンテナと、
アンテナおよび処理回路に接続され、アンテナと処理回路との間で通信される信号を調整するように構成された無線フロントエンド回路と、
グループＡの何れかの実施形態の何れかのステップを実行するように構成された処理回路と、
処理回路に接続され、処理回路によって処理されるためにＵＥへの情報の入力を可能にするように構成された入力インタフェースと、
処理回路に接続され、処理回路によって処理されたＵＥからの情報を出力するように構成された出力インタフェースと、
処理回路に接続され、ＵＥに電力を供給するように構成されたバッテリと、
を含む。
【０１４８】
Ｃ５．  無線デバイスの少なくとも１つのプロセッサによって実行されると、無線デバイスにグループＡの何れかの実施形態のステップを実行させる命令を含むコンピュータプログラム。
【０１４９】
Ｃ６．  実施形態Ｃ５のコンピュータプログラムを含むキャリアであって、キャリアは、電気信号、光信号、無線信号、またはコンピュータ可読記憶媒体の何れかである。
【０１５０】
Ｃ７．  グループＢの何れかの実施形態の何れかのステップを実行するように構成された基地局。
【０１５１】
Ｃ８．  基地局であって、
グループＢの何れかの実施形態の何れかのステップを実行するように構成された処理回路と、
無線デバイスに電力を供給するように構成された電源回路と、
を含む。
【０１５２】
Ｃ９．  基地局であって、
処理回路とメモリとを含み、メモリは処理回路によって実行可能な命令を含み、それにより、基地局はグループＢの何れかの実施形態の何れかのステップを実行するように構成される。
【０１５３】
Ｃ１０．  基地局の少なくとも１つのプロセッサによって実行されると、基地局にグループＢの何れかの実施形態のステップを実行させる命令を含むコンピュータプログラム。
【０１５４】
Ｃ１１．  実施形態Ｃ１０のコンピュータプログラムを含むキャリアであって、キャリアは、電気信号、光信号、無線信号、またはコンピュータ可読記憶媒体の何れかである。
【０１５５】
グループＤの実施形態：
Ｄ１．  ホストコンピュータを含む通信システムであって、
ユーザデータを提供するように構成された処理回路と、
ユーザ装置（ＵＥ）に送信するために、ユーザデータをセルラーネットワークに転送するように構成された通信インタフェースと、
を含み、
セルラーネットワークは、無線インタフェースと処理回路とを有する基地局を含み、基地局の処理回路は、グループＢの何れかの実施形態の何れかのステップを実行するように構成され。
【０１５６】
Ｄ２．  先行する実施形態の通信システムであって、基地局をさらに含む。
【０１５７】
Ｄ３．  先行する２つの実施形態の通信システムであって、ＵＥをさらに含み、ＵＥは基地局と通信するように構成されている。
【０１５８】
Ｄ４．  先行する３つの実施形態の通信システムであって、
ホストコンピュータの処理回路は、ホストアプリケーションを実行するように構成され、それにより、ユーザデータを提供し、
ＵＥは、ホストアプリケーションに関連付けられたクライアントアプリケーションを実行するように構成された処理回路を含む。
【０１５９】
Ｄ５．  ホストコンピュータと基地局とユーザ装置（ＵＥ）とを含む通信システムに実装される方法であって、方法は、
ホストコンピュータにおいて、ユーザデータを提供することと、
ホストコンピュータにおいて、基地局を含むセルラーネットワークを介してＵＥにユーザデータを運ぶ送信を開始し、基地局はグループＢの何れかの実施形態の何れかのステップを実行する。
【０１６０】
Ｄ６．  先行する実施形態の方法であって、基地局において、ユーザデータを送信することをさらに含む。
【０１６１】
Ｄ７．  前項する２つの実施形態の方法であって、ユーザデータはホストアプリケーションを実行することによってホストコンピュータに提供され、方法は、ＵＥにおいて、ホストアプリケーションに関連付けられたクライアントアプリケーションを実行することをさらに含む。
【０１６２】
Ｄ８．  基地局と通信するように構成されたユーザ装置（ＵＥ）であって、ＵＥは、無線インタフェースと、先行する３つの実施形態の何れかを実行するように構成された処理回路と、を含む。
【０１６３】
Ｄ９．  ホストコンピュータを含む通信システムであって、
ユーザデータを提供するように構成された処理回路と、
ユーザ装置（ＵＥ）に送信するために、ユーザデータをセルラーネットワークに転送するように構成された通信インタフェースと、
を含み、
ＵＥは、無線インタフェースと処理回路とを含み、ＵＥの構成要素は、グループＡの何れかの実施形態の何れかのステップを実行するように構成される。
【０１６４】
Ｄ１０．  先行する実施形態の通信システムであって、セルラーネットワークはＵＥと通信するように構成された基地局をさらに含む。
【０１６５】
Ｄ１１．  先行する２つの実施形態の通信システムであって、
ホストコンピュータの処理回路はホストアプリケーションを実行するように構成され、それにより、ユーザデータを提供し、
ＵＥの処理回路はホストアプリケーションに関連付けられたクライアントアプリケーションを実行するように構成される。
【０１６６】
Ｄ１２．  ホストコンピュータと基地局とユーザ装置（ＵＥ）とを含む通信システムに実装される方法であって、方法は、
ホストコンピュータにおいて、ユーザデータを提供することと、
ホストコンピュータにおいて、基地局を含むセルラーネットワークを介してＵＥにユーザデータを運ぶ送信を開始し、ＵＥはグループＡの何れかの実施形態の何れかのステップを実行する。
【０１６７】
Ｄ１３．  先行する実施形態の方法であって、ＵＥにおいて、基地局からユーザデータを受信することをさらに含む。
【０１６８】
Ｄ１４．  ホストコンピュータを含む通信システムであって、
ユーザ装置（ＵＥ）から基地局への送信に由来するユーザデータを受信するように構成された通信インタフェースを含み、
ＵＥは無線インタフェースと処理回路とを含み、ＵＥの処理回路はグループＡの何れかの実施形態の何れかのステップを実行するように構成される。
【０１６９】
Ｄ１５．  先行する実施形態の通信システムであって、ＵＥをさらに含む。
【０１７０】
Ｄ１６．  先行する２つの実施形態の通信システムであって、基地局をさらに含み、基地局は、ＵＥと通信するように構成された無線インタフェースと、ＵＥから基地局への送信によって運ばれたユーザデータをホストコンピュータに転送するように構成された通信インタフェースと、を含む。
【０１７１】
Ｄ１７．  先行する３つの実施形態の通信システムであって、
ホストコンピュータの処理回路は、ホストアプリケーションを実行するように構成され、
ＵＥの処理回路は、ホストアプリケーションに関連付けられたクライアントアプリケーションを実行するように構成され、それにより、ユーザデータを提供する。
【０１７２】
Ｄ１８．  先行する４つの実施形態の通信システムであって、
ホストコンピュータの処理回路は、ホストアプリケーションを実行するように構成され、それにより、要求データを提供し、
ＵＥの処理回路は、ホストアプリケーションに関連付けられたクライアントアプリケーションを実行するように構成され、それにより、要求データに応答してユーザデータを提供する。
【０１７３】
Ｄ１９．  ホストコンピュータと基地局とユーザ装置（ＵＥ）とを含む通信システムに実装される方法であって、方法は、
ホストコンピュータにおいて、ＵＥから基地局に送信されたユーザデータを受信することを含み、ＵＥはグループＡの何れかの実施形態の何れかのステップを実行する。
【０１７４】
Ｄ２０．  先行する実施形態の方法であって、ＵＥにおいて、ユーザデータを基地局に提供することをさらに含む。
【０１７５】
Ｄ２１．  先行する２つの実施形態の方法であって、
ＵＥにおいて、クライアントアプリケーションを実行して、それにより、送信されるユーザデータを提供することと、
ホストコンピュータにおいて、クライアントアプリケーションに関連付けられたホストアプリケーションを実行することと、
をさらに含む。
【０１７６】
Ｄ２２．  先行する３つの実施形態の方法であって、
ＵＥにおいて、クライアントアプリケーションを実行することと、
ＵＥにおいて、クライアントアプリケーションへの入力データを受信することであって、入力データはクライアントアプリケーションに関連付けられたホストアプリケーションを実行することによりホストコンピュータに提供される、受信することと、
をさらに含み、
送信されるユーザデータは、入力データに応答してクライアントアプリケーションによって提供される。
【０１７７】
Ｄ２３．  通信システムであって、ユーザ装置（ＵＥ）から基地局への送信に由来するユーザデータを受信するように構成された通信インタフェースを含むホストコンピュータを含み、基地局は、無線インタフェースと処理回路とを含み、基地局の処理回路は、グループＢの何れかの実施形態の何れかのステップを実行するように構成される。
【０１７８】
Ｄ２４．  先行する実施形態の通信システムであって、基地局をさらに含む。
【０１７９】
Ｄ２５．  先行する２つの実施形態の通信システムであって、ＵＥをさらに含み、ＵＥは基地局と通信するように構成される。
【０１８０】
Ｄ２６．  先行する３つの実施形態の通信システムであって、
ホストコンピュータの処理回路は、ホストアプリケーションを実行するように構成され、
ＵＥは、ホストアプリケーションに関連付けられたクライアントアプリケーションを実行するように構成され、それにより、ホストコンピュータによって受信されるユーザデータを提供する。
【０１８１】
Ｄ２７．  ホストコンピュータと基地局とユーザ装置（ＵＥ）とを含む通信システムに実装される方法であって、方法は、
ホストコンピュータにおいて、基地局から、基地局がＵＥから受信した送信に由来するユーザデータを受信することを含み、ＵＥはグループＡの何れかの実施形態の何れかのステップを実行する。
【０１８２】
Ｄ２８．  先行する実施形態の方法であって、基地局において、ＵＥからユーザデータを受信することをさらに含む。
【０１８３】
Ｄ２９．  先行する２つの実施形態の方法であって、基地局において、受信したユーザデータのホストコンピュータへの送信を開始することをさらに含む。
【図１】
2021520667.tif 000021
【図２】
2021520667.tif 000022
【図３】
2021520667.tif 000023
【図４】
2021520667.tif 000024
【図５】
2021520667.tif 000025
【図６】
2021520667.tif 000026
【図７】
2021520667.tif 000027
【図８】
2021520667.tif 000028
【図９】
2021520667.tif 000029
【図１０】
2021520667.tif 000030
【図ＱＱ１】
2021520667.tif 000031
【図ＱＱ２】
2021520667.tif 000032
【図ＱＱ３】
2021520667.tif 000033
【図ＱＱ４】
2021520667.tif 000034
【図ＱＱ５】
2021520667.tif 000035
【図ＱＱ６】
2021520667.tif 000036
【図ＱＱ７】
2021520667.tif 000037
【図ＱＱ８】
2021520667.tif 000038
【図ＱＱ９】
2021520667.tif 000039
【国際調査報告】
2021520667.tif 000040
2021520667.tif 000041